(57)【特許請求の範囲】
【請求項１】
第１のワイヤレスネットワークの支援された初期ネットワーク捕捉のためのアクセス端末上で動作可能な方法であって、
第２のワイヤレスネットワーク上で第１のワイヤレスネットワーク情報に対する要求をブロードキャストすることと、
前記第２のワイヤレスネットワーク上で、すでに前記第１のワイヤレスネットワークの一部である支援アクセス端末から、前記第１のワイヤレスネットワーク情報を受信することと、
前記受信された第１のワイヤレスネットワーク情報に基づいて第１のワイヤレスネットワークを検出することと、
前記第１のワイヤレスネットワーク上で通信サービスを捕捉することと、
を備える方法。
【請求項２】
前記第１のワイヤレスネットワークおよび前記第２のワイヤレスネットワークのうちの少なくとも一方は、ピアツーピアネットワークである、請求項１に記載の方法。
【請求項３】
第１の通信インターフェースを介して前記第１のワイヤレスネットワークが検出されると共に前記通信サービスが捕捉され、第２の通信インターフェースを介して前記要求がブロードキャストされると共に前記第１のワイヤレスネットワーク情報が受信され、前記第１のワイヤレスネットワークは前記第２のワイヤレスネットワークとは異なるタイプである、請求項１に記載の方法。
【請求項４】
前記第１の通信インターフェースおよび前記第２の通信インターフェースのうちの少なくとも一方は、短距離通信インターフェースである、請求項３に記載の方法。
【請求項５】
前記第１のワイヤレスネットワークは、超広帯域ネットワークである、請求項１に記載の方法。
【請求項６】
前記第２のワイヤレスネットワークは、ブルートゥース対応ネットワークである、請求項１に記載の方法。
【請求項７】
前記アクセス端末が前記第１のワイヤレスネットワーク情報に対する前記要求をブロードキャストするとき、前記アクセス端末は、未知のパーソナルエリアネットワークにおいて動作を開始または再開している、請求項１に記載の方法。
【請求項８】
前記受信された第１のワイヤレスネットワーク情報は、前記第１のワイヤレスネットワークの時間周波数符号、周波数、チャネル、タイミング情報、スクランブリングコード、および位相、のうちの少なくとも１つを含む、請求項１に記載の方法。
【請求項９】
前記第２のワイヤレスネットワークを介して前記支援アクセス端末からクロックタイミング情報を受信することと、
前記第１のワイヤレスネットワーク上でデータ交換期間を同期させるために前記アクセス端末の第１のクロックを前記支援アクセス端末の第２のクロックと整合させることと、
をさらに備える、請求項１に記載の方法。
【請求項１０】
前記アクセス端末は、前記支援アクセス端末の一般的発振器のドリフトを補償することによって前記第１のワイヤレスネットワーク情報を調整するために、前記受信されたクロックタイミング情報を使用する、請求項９に記載の方法。
【請求項１１】
前記受信された第１のワイヤレスネットワーク情報に基づいて前記第１のワイヤレスネットワークを検出することは、
前記受信された第１のワイヤレスネットワーク情報によって識別可能な周波数帯域に第１の通信インターフェースを同調させることと、
ブロードキャストされる物理レイヤ（ＰＨＹ）フレームプリアンブルの予想される開始の直前に前記第１の通信インターフェースをアウェイクすることと、
を含む、請求項１に記載の方法。
【請求項１２】
前記ＰＨＹフレームプリアンブルの長さは、２４シンボル未満である、請求項１１に記載の方法。
【請求項１３】
第１のワイヤレスネットワーク上で通信するための第１の通信インターフェースと、
第２のワイヤレスネットワーク上で通信するための第２の通信インターフェースであって、前記第１のワイヤレスネットワークが前記第２のワイヤレスネットワークとは異なるタイプである、第２の通信インターフェースと、
前記第１の通信インターフェースおよび前記第２の通信インターフェースに結合された処理回路であって、
前記第２のワイヤレスネットワーク上で第１のワイヤレスネットワーク情報に対する要求をブロードキャストし、
前記第２のワイヤレスネットワーク上で、すでに前記第１のワイヤレスネットワークの一部である支援アクセス端末から、前記第１のワイヤレスネットワーク情報を受信し、
前記受信された第１のワイヤレスネットワーク情報に基づいて前記第１のワイヤレスネットワークを検出し、
前記第１のワイヤレスネットワーク上で通信サービスを捕捉する、
ように構成された処理回路と
を備えるアクセス端末。
【請求項１４】
前記第１のワイヤレスネットワークおよび前記第２のワイヤレスネットワークのうちの少なくとも一方は、ピアツーピアネットワークである、請求項１３に記載のアクセス端末。
【請求項１５】
前記第１の通信インターフェースおよび前記第２の通信インターフェースのうちの少なくとも一方は、短距離通信インターフェースである、請求項１３に記載のアクセス端末。
【請求項１６】
前記第１のワイヤレスネットワークは、超広帯域ネットワークである、請求項１３に記載のアクセス端末。
【請求項１７】
前記第２のワイヤレスネットワークは、ブルートゥース対応ネットワークである、請求項１３に記載のアクセス端末。
【請求項１８】
前記アクセス端末が前記第１のワイヤレスネットワーク情報に対する前記要求をブロードキャストするとき、前記アクセス端末は、未知のパーソナルエリアネットワークにおいて動作を開始または再開している、請求項１３に記載のアクセス端末。
【請求項１９】
前記受信された第１のワイヤレスネットワーク情報は、前記第１のワイヤレスネットワークの時間周波数符号、周波数、チャネル、タイミング情報、スクランブリングコード、および位相、のうちの少なくとも１つを含む、請求項１３に記載のアクセス端末。
【請求項２０】
前記処理回路は、
前記第２のワイヤレスネットワークを介して前記支援アクセス端末からクロックタイミング情報を受信し、
前記第１のワイヤレスネットワーク上でデータ交換期間を同期させるために前記アクセス端末の第１のクロックを前記支援アクセス端末の第２のクロックと整合させる、
ようにさらに構成された、請求項１３に記載のアクセス端末。
【請求項２１】
前記アクセス端末は、前記支援アクセス端末の一般的発振器のドリフトを補償することによって前記第１のワイヤレスネットワーク情報を調整するために、前記受信されたクロックタイミング情報を使用する、請求項２０に記載のアクセス端末。
【請求項２２】
前記受信された第１のワイヤレスネットワーク情報に基づいて前記第１のワイヤレスネットワークを検出することは、
前記受信された第１のワイヤレスネットワーク情報によって識別可能な周波数帯域に前記第１の通信インターフェースを同調させることと、
ブロードキャストされる物理レイヤ（ＰＨＹ）フレームプリアンブルの予想される開始の直前に前記第１の通信インターフェースをアウェイクすることと、
を含む、請求項１３に記載のアクセス端末。
【請求項２３】
前記ＰＨＹフレームプリアンブルの長さは、２４シンボル未満である、請求項１３に記載のアクセス端末。
【請求項２４】
第２のワイヤレスネットワーク上で第１のワイヤレスネットワーク情報に対する要求をブロードキャストするための手段と、
前記第２のワイヤレスネットワーク上で、すでに前記第１のワイヤレスネットワークの一部である支援アクセス端末から、前記第１のワイヤレスネットワーク情報を受信するための手段と、
前記受信された第１のワイヤレスネットワーク情報に基づいて第１のワイヤレスネットワークを検出するための手段と、
前記第１のワイヤレスネットワーク上で通信サービスを捕捉するための手段と、
を備えるアクセス端末。
【請求項２５】
前記第１のワイヤレスネットワークおよび前記第２のワイヤレスネットワークのうちの少なくとも一方は、ピアツーピアネットワークである、請求項２４に記載のアクセス端末。
【請求項２６】
第１の通信インターフェースを介して前記第１のワイヤレスネットワークが検出されると共に前記通信サービスが捕捉され、第２の通信インターフェースを介して前記要求がブロードキャストされると共に前記第１のワイヤレスネットワーク情報が受信され、前記第１のワイヤレスネットワークは前記第２のワイヤレスネットワークとは異なるタイプである、請求項２４に記載のアクセス端末。
【請求項２７】
前記第１の通信インターフェースおよび前記第２の通信インターフェースのうちの少なくとも一方は、短距離通信インターフェースである、請求項２６に記載のアクセス端末。
【請求項２８】
前記第１のワイヤレスネットワークは、超広帯域ネットワークである、請求項２４に記載のアクセス端末。
【請求項２９】
前記第２のワイヤレスネットワークは、ブルートゥース対応ネットワークである、請求項２４に記載のアクセス端末。
【請求項３０】
前記アクセス端末が前記第１のワイヤレスネットワーク情報に対する前記要求をブロードキャストするとき、前記アクセス端末は、未知のパーソナルエリアネットワークにおいて動作を開始または再開している、請求項２４に記載のアクセス端末。
【請求項３１】
前記受信された第１のワイヤレスネットワーク情報は、前記第１のワイヤレスネットワークの時間周波数符号、周波数、チャネル、タイミング情報、スクランブリングコード、および位相、のうちの少なくとも１つを含む、請求項２４に記載のアクセス端末。
【請求項３２】
前記第２のワイヤレスネットワークを介して前記支援アクセス端末からクロックタイミング情報を受信するための手段と、
前記第１のワイヤレスネットワーク上でデータ交換期間を同期させるために前記アクセス端末の第１のクロックを前記支援アクセス端末の第２のクロックと整合させるための手段と、
をさらに備える、請求項２４に記載のアクセス端末。
【請求項３３】
前記アクセス端末は、前記支援アクセス端末の一般的発振器のドリフトを補償することによって前記第１のワイヤレスネットワーク情報を調整するために、前記受信されたクロックタイミング情報を使用する、請求項３２に記載のアクセス端末。
【請求項３４】
前記受信された第１のワイヤレスネットワーク情報によって識別可能な周波数帯域に第１の通信インターフェースを同調させるための手段と、
ブロードキャストされる物理レイヤ（ＰＨＹ）フレームプリアンブルの予想される開始の直前に前記第１の通信インターフェースをアウェイクするための手段であって、前記ＰＨＹフレームプリアンブルの長さが２４シンボル未満である、アウェイクするための手段と、
をさらに備える、請求項２４に記載のアクセス端末。
【請求項３５】
ワイヤレスネットワーク通信のための回路であって、
第２のワイヤレスネットワーク上で第１のワイヤレスネットワーク情報に対する要求をブロードキャストし、
前記第２のワイヤレスネットワーク上で、すでに前記第１のワイヤレスネットワークの一部である支援アクセス端末から、前記第１のワイヤレスネットワーク情報を受信し、
前記受信された第１のワイヤレスネットワーク情報に基づいて第１のワイヤレスネットワークを検出し、
前記第１のワイヤレスネットワーク上で通信サービスを捕捉する、
ように適合された回路。
【請求項３６】
前記第２のワイヤレスネットワークを介して前記支援アクセス端末からクロックタイミング情報を受信し、
前記第１のワイヤレスネットワーク上でデータ交換期間を同期させるために前記アクセス端末の第１のクロックを前記支援アクセス端末の第２のクロックと整合させる、
ようにさらに適合された、請求項３５に記載の回路。
【請求項３７】
前記受信された第１のワイヤレスネットワーク情報によって識別可能な周波数帯域に第１の通信インターフェースを同調させることと、
ブロードキャストされる物理レイヤ（ＰＨＹ）フレームプリアンブルの予想される開始の直前に前記第１の通信インターフェースをアウェイクすることであって、前記ＰＨＹフレームプリアンブルの長さが２４シンボル未満である、アウェイクすることと、
を行うようにさらに適合された、請求項３５に記載の回路。
【請求項３８】
プロセッサによって実行されると、
第２のワイヤレスネットワーク上で第１のワイヤレスネットワーク情報に対する要求をブロードキャストすることと、
前記第２のワイヤレスネットワーク上で、すでに前記第１のワイヤレスネットワークの一部である支援アクセス端末から、前記第１のワイヤレスネットワーク情報を受信することと、
前記受信された第１のワイヤレスネットワーク情報に基づいて第１のワイヤレスネットワークを検出することと、
前記第１のワイヤレスネットワーク上で通信サービスを捕捉することと、
を前記プロセッサに行わせる、初期ネットワーク捕捉のための命令を備えるコンピュータ可読媒体。
【請求項３９】
プロセッサによって実行されると、
前記第２のワイヤレスネットワークを介して前記支援アクセス端末からクロックタイミング情報を受信することと、
前記第１のワイヤレスネットワーク上でデータ交換期間を同期させるために前記アクセス端末の第１のクロックを前記支援アクセス端末の第２のクロックと整合させることと、
を前記プロセッサに行わせる命令をさらに備える、請求項３８に記載のコンピュータ可読媒体。
【請求項４０】
プロセッサによって実行されると、
前記受信された第１のワイヤレスネットワーク情報によって識別可能な周波数帯域に第１の通信インターフェースを同調させることと、
ブロードキャストされる物理レイヤ（ＰＨＹ）フレームプリアンブルの予想される開始の直前に前記第１の通信インターフェースをアウェイクすることであって、前記ＰＨＹフレームプリアンブルの長さが２４シンボル未満である、アウェイクすることと、
を前記プロセッサに行わせる命令をさらに備える、請求項３８に記載のコンピュータ可読媒体。
【請求項４１】
初期ネットワーク捕捉において捕捉アクセス端末を支援するためのアクセス端末上で動作可能な方法であって、
第１の通信インターフェースに関連する第１のワイヤレスネットワークのための第１のワイヤレスネットワーク情報を維持することであって、前記アクセス端末は、すでに前記第１のワイヤレスネットワークの一部である、第１のワイヤレスネットワーク情報を維持することと、
第２のワイヤレスネットワークに関連する第２の通信インターフェースを介して前記捕捉アクセス端末から前記第１のワイヤレスネットワーク情報に対する要求を受信することと、
前記第１のワイヤレスネットワーク情報を前記第２の通信インターフェースを介して前記捕捉アクセス端末に送信することと、
を備える方法。
【請求項４２】
前記第１のワイヤレスネットワークおよび前記第２のワイヤレスネットワークのうちの少なくとも一方は、ピアツーピアネットワークである、請求項４１に記載の方法。
【請求項４３】
前記第１の通信インターフェースおよび前記第２の通信インターフェースのうちの少なくとも一方は、短距離通信インターフェースである、請求項４１に記載の方法。
【請求項４４】
前記第１のワイヤレスネットワークは、超広帯域ネットワークである、請求項４１に記載の方法。
【請求項４５】
前記第２のワイヤレスネットワークは、ブルートゥース対応ネットワークである、請求項４１に記載の方法。
【請求項４６】
前記送信される第１のワイヤレスネットワーク情報は、前記第１のワイヤレスネットワークの時間周波数符号、周波数、チャネル、タイミング情報、スクランブリングコード、および位相、のうちの少なくとも１つを含む、請求項４１に記載の方法。
【請求項４７】
前記捕捉アクセス端末が前記第１のワイヤレスネットワーク上でデータ交換期間を同期させるのを支援するために前記第２のワイヤレスネットワークを介して前記捕捉アクセス端末にクロックタイミング情報を送信すること、
をさらに備える、請求項４１に記載の方法。
【請求項４８】
アクセス端末であって、
第１のワイヤレスネットワーク上で通信するための第１の通信インターフェースと、
第２のワイヤレスネットワーク上で通信するための第２の通信インターフェースであって、前記第１のワイヤレスネットワークが前記第２のワイヤレスネットワークとは異なるタイプである、第２の通信インターフェースと、
前記第１の通信インターフェースおよび前記第２の通信インターフェースに結合された処理回路であって、
前記第１のワイヤレスネットワークのための第１のワイヤレスネットワーク情報を維持することであって、前記アクセス端末は、すでに前記第１のワイヤレスネットワークの一部である、第１のワイヤレスネットワーク情報を維持し、
前記第２の通信インターフェースを介して捕捉アクセス端末から前記第１のワイヤレスネットワーク情報に対する要求を受信し、
前記第１のワイヤレスネットワーク情報を前記第２の通信インターフェースを介して前記捕捉アクセス端末に送信する、
ように構成された処理回路と、
を備えるアクセス端末。
【請求項４９】
前記第１のワイヤレスネットワークおよび前記第２のワイヤレスネットワークのうちの少なくとも一方は、ピアツーピアネットワークである、請求項４８に記載のアクセス端末。
【請求項５０】
前記第１の通信インターフェースおよび前記第２の通信インターフェースのうちの少なくとも一方は、短距離通信インターフェースである、請求項４８に記載のアクセス端末。
【請求項５１】
前記第１のワイヤレスネットワークは、超広帯域ネットワークである、請求項４８に記載のアクセス端末。
【請求項５２】
前記第２のワイヤレスネットワークは、ブルートゥース対応ネットワークである、請求項４８に記載のアクセス端末。
【請求項５３】
前記送信される第１のワイヤレスネットワーク情報は、前記第１のワイヤレスネットワークの時間周波数符号、周波数、チャネル、タイミング情報、スクランブリングコード、および位相、のうちの少なくとも１つを含む、請求項４８に記載のアクセス端末。
【請求項５４】
前記処理回路が、
前記捕捉アクセス端末が前記第１のワイヤレスネットワーク上でデータ交換期間を同期させるのを支援するために前記第２のワイヤレスネットワークを介して前記捕捉アクセス端末にクロックタイミング情報を送信する、
ようにさらに構成される、請求項４８に記載のアクセス端末。
【請求項５５】
アクセス端末であって、
第１の通信インターフェースに関連する第１のワイヤレスネットワークのための第１のワイヤレスネットワーク情報を維持するための手段であって、前記アクセス端末は、すでに前記第１のワイヤレスネットワークの一部である、第１のワイヤレスネットワーク情報を維持するための手段と、
第２のワイヤレスネットワークに関連する第２の通信インターフェースを介して捕捉アクセス端末から前記第１のワイヤレスネットワーク情報に対する要求を受信するための手段と、
前記第１のワイヤレスネットワーク情報を前記第２の通信インターフェースを介して前記捕捉アクセス端末に送信するための手段と、
を備えるアクセス端末。
【請求項５６】
前記第１のワイヤレスネットワークおよび前記第２のワイヤレスネットワークのうちの少なくとも一方は、ピアツーピアネットワークである、請求項５５に記載のアクセス端末。
【請求項５７】
前記第１の通信インターフェースおよび前記第２の通信インターフェースのうちの少なくとも一方は、短距離通信インターフェースである、請求項５５に記載のアクセス端末。
【請求項５８】
前記第１のワイヤレスネットワークは、超広帯域ネットワークである、請求項５５に記載のアクセス端末。
【請求項５９】
前記第２のワイヤレスネットワークは、ブルートゥース対応ネットワークである、請求項５５に記載のアクセス端末。
【請求項６０】
前記送信される第１のワイヤレスネットワーク情報は、前記第１のワイヤレスネットワークの時間周波数符号、周波数、チャネル、タイミング情報、スクランブリングコード、および位相、のうちの少なくとも１つを含む、請求項５５に記載のアクセス端末。
【請求項６１】
前記捕捉アクセス端末が前記第１のワイヤレスネットワーク上でデータ交換期間を同期させるのを支援するために前記第２のワイヤレスネットワークを介して前記捕捉アクセス端末にクロックタイミング情報を送信するための手段、
をさらに備える、請求項５５に記載のアクセス端末。
【請求項６２】
ワイヤレスネットワーク通信のための回路であって、前記回路は、捕捉アクセス端末による初期ネットワーク捕捉を支援するためにアクセス端末中で動作し、
第１の通信インターフェースに関連する第１のワイヤレスネットワークのための第１のワイヤレスネットワーク情報を維持することであって、前記アクセス端末は、すでに前記第１のワイヤレスネットワークの一部である、第１のワイヤレスネットワーク情報を維持し、
第２のワイヤレスネットワークに関連する第２の通信インターフェースを介して前記捕捉アクセス端末から前記第１のワイヤレスネットワーク情報に対する要求を受信し、
前記第１のワイヤレスネットワーク情報を前記第２の通信インターフェースを介して前記捕捉アクセス端末に送信する、
ように適合された、回路。
【請求項６３】
前記捕捉アクセス端末が前記第１のワイヤレスネットワーク上でデータ交換期間を同期させるのを支援するために前記第２のワイヤレスネットワークを介して前記捕捉アクセス端末にクロックタイミング情報を送信する、
ようにさらに適合された、請求項６２に記載の回路。
【請求項６４】
前記第１のワイヤレスネットワークおよび前記第２のワイヤレスネットワークのうちの少なくとも一方は、ピアツーピアネットワークであり、前記第１の通信インターフェースおよび前記第２の通信インターフェースのうちの少なくとも一方は、短距離通信インターフェースである、請求項６２に記載の回路。
【請求項６５】
アクセス端末が第１のワイヤレスネットワークの初期ネットワーク捕捉において捕捉アクセス端末を支援するための命令を備えるコンピュータ可読媒体であって、プロセッサによって実行されると、
第１の通信インターフェースに関連する前記第１のワイヤレスネットワークのための第１のワイヤレスネットワーク情報を維持することであって、前記アクセス端末は、すでに前記第１のワイヤレスネットワークの一部である、第１のワイヤレスネットワーク情報を維持することと、
第２のワイヤレスネットワークに関連する第２の通信インターフェースを介して前記捕捉アクセス端末から前記第１のワイヤレスネットワーク情報に対する要求を受信することと、
前記第１のワイヤレスネットワーク情報を前記第２の通信インターフェースを介して前記捕捉アクセス端末に送信することと、
を前記プロセッサに行わせる、コンピュータ可読媒体。
【請求項６６】
プロセッサによって実行されると、
前記捕捉アクセス端末が前記第１のワイヤレスネットワーク上でデータ交換期間を同期させるのを支援するために前記第２のワイヤレスネットワークを介して前記捕捉アクセス端末にクロックタイミング情報を送信すること、
を前記プロセッサに行わせる命令をさらに備える、請求項６５に記載のコンピュータ可読媒体。
【請求項６７】
前記第１のワイヤレスネットワークおよび前記第２のワイヤレスネットワークのうちの少なくとも一方は、ピアツーピアネットワークであり、前記第１の通信インターフェースおよび前記第２の通信インターフェースのうちの少なくとも一方は、短距離通信インターフェースである、請求項６５に記載のコンピュータ可読媒体。
【発明の詳細な説明】
【技術分野】
【０００１】
少なくとも１つの特徴は、超広帯域通信ネットワークの捕捉に関し、より詳細には、すでにネットワーク中にある他の通信デバイスから情報を得ることによって超広帯域ワイヤレスネットワーク捕捉時間を改善するために通信デバイスを支援するための方法に関する。
【背景技術】
【０００２】
超広帯域（Ｕｌｔｒａ−ｗｉｄｅｂａｎｄ：ＵＷＢ）は、無線スペクトルの大部分を使用することによって短距離高帯域通信用に極めて低いエネルギーレベルで使用され得る無線技術である。しかしながら、現在のＵＷＢ技術の課題の１つは、比較的長い初期捕捉時間、すなわち、送信機および受信機が初期同期を達成するための時間である。長い捕捉時間は、大きい初期探索空間を生成するＵＷＢ欧州電子計算機工業会（Ｅｕｒｏｐｅａｎ  Ｃｏｍｐｕｔｅｒ  Ｍａｎｕｆａｃｔｕｒｅｒｓ  Ａｓｓｏｃｉａｔｉｏｎ：ＥＣＭＡ）３６８規格に関連する多数のチャネルの結果である。
【０００３】
現在のＵＷＢ規格は、６０個の異なるチャネルをサポートする。ＵＷＢ通信デバイスがネットワークを捕捉しようとするとき、そのＵＷＢ通信デバイスは、最初にオンにされ、ネットワークを捕捉するために使用される物理レイヤ（ＰＨＹ）フレームプリアンブルを検出するためにすべての異なるチャネルを探索しなければならない。さらに、ＵＷＢ通信デバイスは、６５ｍｓ長である媒体アクセス制御（ＭＡＣ）スーパーフレームの第１の部分を占有するビーコン期間中にビーコンを検出しなければならない。ＵＷＢ通信デバイスがスーパーフレームの開始を知らない場合、そのＵＷＢ通信デバイスはビーコンを検出するまで探索を続けなければならない。ネットワークを検出するためにＵＷＢ通信デバイスによって実行されるスキャニングにより、捕捉プロセスは著しく長い時間を要することがある。したがって、ＵＷＢ通信デバイスがマルチバンド（Ｍｕｌｔｉ−ｂａｎｄ：ＭＢ）直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）ＵＷＢシステムなどのＵＷＢネットワークをより迅速に捕捉することができるように、捕捉プロセスを促進および／または改善するための方法が必要とされる。
【発明の概要】
【０００４】
１つの特徴は、第１のワイヤレスネットワークを最初に捕捉するために他の近くの端末の支援を使用するように構成され得る捕捉アクセス端末を提供する。捕捉アクセス端末は、第２のワイヤレスネットワーク上で第１のワイヤレスネットワーク情報に対する要求をブロードキャストすることができる。アクセス端末は、第１のワイヤレスネットワーク情報に対する要求をブロードキャストするとき、未知のパーソナルエリアネットワークにおいて動作を開始または再開していることがあり得る。次いで、アクセス端末は、第２のワイヤレスネットワーク上で支援アクセス端末から第１のワイヤレスネットワーク情報を受信することができる。受信された第１のワイヤレスネットワーク情報は、第１のワイヤレスネットワークの時間周波数符号、周波数、チャネル、タイミング情報、スクランブリングコード、および位相、のうちの少なくとも１つを含む。
【０００５】
第１のワイヤレスネットワーク情報とともに、アクセス端末はまた、第２のワイヤレスネットワークを介して支援アクセス端末からクロックタイミング情報を受信することができる。アクセス端末は、第１のワイヤレスネットワーク上でデータ交換期間を同期させるために、このクロックタイミング情報を使用してアクセス端末の第１のクロックを支援アクセス端末の第２のクロックと整合させることができる。アクセス端末は、支援アクセス端末の一般的発振器のドリフトを補償することによって第１のワイヤレスネットワーク情報を調整するために、受信されたクロックタイミング情報を使用する。
【０００６】
次いで、アクセス端末は、受信された第１のワイヤレスネットワーク情報に基づいて第１のワイヤレスネットワークを検出することができる。一実施形態では、受信された第１のワイヤレスネットワーク情報に基づいて第１のワイヤレスネットワークを検出することは、受信された第１のワイヤレスネットワーク情報によって識別可能な周波数帯域に第１の通信インターフェースを同調させることを含むことができる。次いで、アクセス端末は、ブロードキャストされる物理レイヤ（ＰＨＹ）フレームプリアンブルの予想される開始の直前に第１の通信インターフェースをアウェイクすることができる。一実施形態では、ＰＨＹフレームプリアンブルの長さは２４シンボル未満であり得る。
【０００７】
アクセス端末は、第１のワイヤレスネットワーク上で通信サービスを捕捉することができる。第１の通信インターフェースを介して、第１のワイヤレスネットワークは検出され、通信サービスは捕捉され得る。第２の通信インターフェースを介して、要求はブロードキャストされ、第１のワイヤレスネットワーク情報は受信され得、第１のワイヤレスネットワークは、第２のワイヤレスネットワークとは異なるタイプであり得る。
【０００８】
第１のワイヤレスネットワークおよび第２のワイヤレスネットワークのうちの少なくとも一方は、ピアツーピアネットワークであり得る。一例では、第１のワイヤレスネットワークは、超広帯域ネットワークであり、第２のワイヤレスネットワークは、ブルートゥース（登録商標）対応ネットワークであり得る。一実施形態では、第１の通信インターフェースおよび第２の通信インターフェースのうちの少なくとも一方は、短距離通信インターフェースであり得る。
【０００９】
別の特徴によれば、支援アクセス端末は、初期ネットワーク捕捉において捕捉アクセス端末を支援するために提供され得る。支援アクセス端末は、第１の通信インターフェースに関連する第１のワイヤレスネットワークのための第１のワイヤレスネットワーク情報を維持することができる。第１のワイヤレスネットワーク情報に対する要求が、第２のワイヤレスネットワークに関連する第２の通信インターフェースを介して捕捉アクセス端末から受信され得る。その結果、支援アクセス端末は、第１のワイヤレスネットワーク情報を第２の通信インターフェースを介して捕捉アクセス端末に送信することができる。送信される第１のワイヤレスネットワーク情報は、第１のワイヤレスネットワークの時間周波数符号、周波数、チャネル、タイミング情報、スクランブリングコード、および位相、のうちの少なくとも１つを含むことができる。さらに、支援アクセス端末は、捕捉アクセス端末が第１のワイヤレスネットワーク上でデータ交換期間を同期させるのを支援するために第２のワイヤレスネットワークを介して捕捉アクセス端末にクロックタイミング情報を送信することができる。
【００１０】
第１のワイヤレスネットワークおよび第２のワイヤレスネットワークのうちの少なくとも一方は、ピアツーピアネットワークであり得る。一実装形態では、第１のワイヤレスネットワークは、超広帯域（ＵＷＢ）ネットワークであり、第２のワイヤレスネットワークは、ブルートゥース対応ネットワークであり得る。一実施形態では、第１の通信インターフェースおよび第２の通信インターフェースのうちの少なくとも一方は、短距離通信インターフェースであり得る。
【００１１】
本明細書で説明される様々な特徴は、ワイヤレスデバイス、ワイヤレスデバイス中に組み込まれた回路もしくはプロセッサ、および／またはソフトウェア内で実装され得る。
【００１２】
様々な特徴、性質、および利点は、全体を通じて同様の参照符号が同様のものを指す図面とともに、以下に記載される詳細な説明が読まれれば、明らかになるであろう。
【図面の簡単な説明】
【００１３】
【図１】図１は、マルチバンド直交周波数分割多重（Ｍｕｌｔｉ−ｂａｎｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＭＢ−ＯＦＤＭ）用のＥＣＭＡ３６８超広帯域（Ｕｌｔｒａ−Ｗｉｄｅｂａｎｄ：ＵＷＢ）周波数スペクトルの一例を示す。
【図２】図２は、帯域グループ中のすべての利用可能な帯域にわたって所与のピコネットのデータシンボルを拡散する１０個のＴＦ符号の時間周波数符号（ＴＦＣ）パターンの例を示す表である。
【図３】図３は、図２のＴＦＣの物理レイヤ（ＰＨＹ）チャネル化方式の一例を示す表である。
【図４】図４は、ＵＷＢ通信システムの物理レイヤ（ＰＨＹ）フレーム構造の一例を示す。
【図５】図５は、ＥＣＭＡ３６８ＵＷＢ通信システムの標準的なプリアンブルフレーム構造の一例を示す。
【図６】図６は、ＵＷＢ媒体アクセス制御（ＭＡＣ）スーパーフレームの一例を示す。
【図７】図７は、トランザクションが確認応答を与えないＵＷＢ通信システムにおけるフレームトランザクションを示す。
【図８】図８は、トランザクションが確認応答を与えるＵＷＢ通信システムにおけるフレームトランザクションを示す。
【図９】図９は、第１の捕捉デバイスが、すでに第１のネットワークの一部である第２のデバイスからどのように第１のネットワーク情報を得ることができるかの一例を示すブロック図である。
【図１０】図１０は、支援デバイスが、どのように捕捉デバイスとタイミング情報を共有し、捕捉デバイスのクロックシンボル周波数を較正することができるかの一例を示すブロック図である。
【図１１】図１１は、支援デバイス（すなわち、支援アクセス端末）から捕捉デバイス（すなわち、捕捉アクセス端末）へのワイヤレスネットワーク情報の配信を可能にするための２つのデバイス間の方法を示す。
【図１２】図１２は、別のアクセス端末の支援を受けて第１のワイヤレスネットワークを捕捉するように構成され得るアクセス端末の一例を示すブロック図である。
【図１３】図１３は、一例による、支援された初期ネットワーク捕捉を実行するための捕捉アクセス端末上で動作可能な方法を示す。
【図１４】図１４は、支援された初期ネットワーク捕捉用に構成され得る支援アクセス端末の一例を示すブロック図である。
【図１５】図１５は、支援された初期ネットワーク捕捉を実行するための支援アクセス端末上で動作可能な方法を示す。
【発明を実施するための形態】
【００１４】
以下の説明では、具体的な詳細が、構成の十分な理解を与えるために提供される。ただし、その構成は、これらの具体的な詳細なしに実施され得ることが当業者によって理解されよう。たとえば、回路は、構成を不必要な詳細で不明瞭にしないために、ブロック図で示されることがある。他の場合には、よく知られている回路、構造および技法が、構成を不明瞭にしないために、詳細に示されることがある。
【００１５】
また、構成は、フローチャート、流れ図、構造図、またはブロック図として示されるプロセスとして説明されることがあることに留意されたい。フローチャートは、動作を逐次プロセスとして説明することがあるが、動作の多くは並行してまたは同時に実行され得る。さらに、動作の順序は、並び替えられ得る。プロセスは、その動作が完了されると終了される。プロセスは、メソッド、関数、プロシージャ、サブルーチン、サブプログラムなどに対応することができる。プロセスが関数に対応する場合、その終了は呼出し側関数またはメイン関数への関数の復帰に対応する。
【００１６】
１つまたは複数の例および／または構成では、説明される機能は、ハードウェア、ソフトウェア、ファームウェア、またはそれらの組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気ストレージデバイス、もしくは命令またはデータ構造の形の所望のプログラムコード手段を搬送または記憶するために使用され、汎用または専用コンピュータあるいは汎用または専用プロセッサによってアクセスされ得る任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含まれる。
【００１７】
さらに、記憶媒体は、読取り専用メモリ（ＲＯＭ）、ランダムアクセスメモリ（ＲＡＭ）、磁気ディスク記憶媒体、光記憶媒体、フラッシュメモリデバイス、および／または情報を記憶するための他の機械可読媒体を含む、データを記憶するための１つまたは複数のデバイスを表すことができる。
【００１８】
さらに、構成は、ハードウェア、ソフトウェア、ファームウェア、ミドルウェア、マイクロコード、または任意のそれらの組合せによって実装され得る。ソフトウェア、ファームウェア、ミドルウェア、またはマイクロコードで実装される場合、必要なタスクを実行するためのプログラムコードまたはコードセグメントは、記憶媒体あるいは（１つまたは複数の）他の記憶装置などのコンピュータ可読媒体に記憶され得る。プロセッサは、必要なタスクを実行することができる。コードセグメントは、プロシージャ、関数、サブプログラム、プログラム、ルーチン、サブルーチン、モジュール、ソフトウェアパッケージ、クラス、または命令、データ構造、もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージパッシング、トークンパッシング、ネットワーク送信などを含む任意の適切な手段を介してパス、転送、または送信され得る。
【００１９】
以下の説明では、いくつかの用語が、いくつかの特徴について説明するために使用される。「アクセス端末」、「通信デバイス」および「ＵＷＢ無線装置」という用語は、ＵＷＢワイヤレスネットワークもしくはシステムを介して通信することが可能なモバイルデバイス、モバイル電話、ワイヤレス端末、アクセス端末、および／または他のタイプの移動もしくは固定通信装置を指すために互換的に使用され得る。「ワイヤレスネットワーク」および「通信システム」という用語は、マルチバンド直交周波数分割多重（Ｍｕｌｔｉ−ｂａｎｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）ＵＷＢシステムなどの短距離通信システムを指すために互換的に使用され得る。
【００２０】
［概観］  
いくつかのモバイルデバイスまたはアクセス端末が複数の異なる無線技術をサポートすることができることが企図される。そのようなモバイルデバイスまたはアクセス端末は、それらの端末が異なるネットワーク（たとえば、ＵＷＢ、ブルートゥースなど）上で通信することを可能にする、異なる通信インターフェースを含むことができる。この多重無線特性は、捕捉デバイスが、第２のネットワークインターフェースの動作を拡張するために、近くの支援デバイスから第１のネットワークインターフェースを介して得られた情報を使用することを可能にすることができる。たとえば、第１のネットワークインターフェースは、第１のネットワーク上での通信のために使用される短距離ブルートゥース無線インターフェースであり得る。第２のネットワークインターフェースは、第２のネットワーク上での通信のために使用されるＵＷＢ無線インターフェースであり得る。一例では、捕捉デバイスは、支援デバイスからＵＷＢネットワークの初期同期情報を得、その初期同期情報を捕捉デバイスのＵＷＢ無線インターフェースのために使用するために、捕捉デバイスのブルートゥース無線インターフェースを利用することができる。この特徴は、支援デバイスが、両方のタイプのインターフェースを有し、当該のＵＷＢネットワークにすでに加わっているものと仮定する。
【００２１】
１つの特徴によれば、ＵＷＢワイヤレスネットワーク内でＵＷＢインターフェースまたはモジュールの初期ネットワーク捕捉時間を低減するために、捕捉アクセス端末は他の近くの支援アクセス端末を利用することができる。移動または固定の支援端末は、すでにマルチバンド直交周波数分割多重（Ｍｕｌｔｉ−ｂａｎｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）ＵＷＢネットワークなどのＵＷＢワイヤレスネットワークのワイヤレスネットワーク情報を捕捉していることがある。支援端末は、時間周波数符号など、このワイヤレスネットワーク情報を捕捉端末に提供することができる。捕捉端末は、ＵＷＢワイヤレスネットワークのワイヤレスネットワーク情報を得るために第２の通信インターフェース（たとえば、ブルートゥースインターフェース）を利用し、それによってマルチバンドＯＦＤＭ  ＵＷＢネットワークの初期捕捉のプロセスを高速化することができる。その結果、ＵＷＢ通信インターフェースまたはモジュールを有する捕捉アクセス端末は、長いスキャニングまたは捕捉プロセスを回避し、より迅速にＯＦＤＭ  ＵＷＢネットワークを捕捉することができる。言い換えれば、ＵＷＢネットワークの遅い初期捕捉は、ＵＷＢインターフェースまたはモジュールと共存し得る第２の通信インターフェース（すなわち、ブルートゥースモジュール）を介して近くのデバイスからの支援を使用することによって、改善され得る。
【００２２】
捕捉端末上でＵＷＢデバイスと共存し得るブルートゥースデバイスなどの別の短距離ワイヤレスモジュールを使用して、考慮中のＵＷＢデバイス、すなわち、捕捉デバイスに、ホッピングパターンまたは時間周波数符号（Ｔｉｍｅ−Ｆｒｅｑｕｅｎｃｙ  Ｃｏｄｅ：ＴＦＣ）などのワイヤレスネットワーク情報を提供することによって、考慮中のＵＷＢデバイスの探索空間を低減するための方法が提供される。言い換えれば、（すなわち、第１の支援端末中の）ＵＷＢデバイスは、（すなわち、第２の捕捉端末中の）別のＵＷＢデバイスの性能を協働的な方法で拡張するために使用され得る。たとえば、捕捉端末のブルートゥース無線モジュールは、ＵＷＢデバイスまたはモジュールの初期同期情報、すなわち時間周波数符号（ＴＦＣ）を得るために使用され得る。ＴＦＣを知ることによって、考慮中のＵＷＢデバイスは、マルチバンドＯＦＤＭ  ＵＷＢネットワークのプロトコルデータユニットの物理レイヤヘッダのおおよその開始を判断するプロセスを高速化し、それにより電力消費量とフォールスアラームの確率の両方を低減するのを助けることができる。物理レイヤコンバージェンスプロトコル（ＰＬＣＰ）は、サービスデータユニット（ＳＤＵ）をプロトコルデータユニット（ＰＤＵ）に変換するための方法を提供することができる。ＰＬＣＰ  ＰＤＵ（ＰＰＤＵ）は、ＰＬＣＰプリアンブルと、ＰＬＣＰヘッダと、ＰＬＣＰ  ＳＤＵ（ＰＳＤＵ）との３つのコンポーネントから構成され得る。
【００２３】
さらに、複数のＵＷＢデバイスのネットワーキングは、受信デバイスおよび送信デバイスがデータ送信がいつ生じ得るかを知るように、ＵＷＢデバイス間の送信が協調され得るようにＵＷＢデバイスが同期されることを必要とすることがある。データ送信のスケジューリングは、媒体アクセス制御（ＭＡＣ）スケジューリングを通して実行され得る。送信は、ＵＷＢデバイスのスーパーフレームのデータ交換期間中に生じることができる。「スーパーフレーム」という用語は、固定長の１つまたは複数の連続するフレームのグループを備える時間の区画を示すことができ、現在のチャネル割振りは固定に保たれ次のチャネル割振りは計算され得る時間期間であり得る。
【００２４】
ネットワーク捕捉を可能にすることの一部として、デバイスは、それぞれのクロックを較正することによって同期され得る。クロックが同期されないと、捕捉デバイス、すなわち考慮中のＵＷＢデバイスがあらかじめどのくらい長くパケットまたはスーパーフレームの探索を開始すべきかにおいて役割を果たし得るシンボルクロック周波数に誤差が生じることがある。したがって、捕捉デバイスにネットワーク情報を提供するとともに、支援デバイスは、探索時間を低減するのを助けるために、その支援デバイスのクロックに関する情報を提供することもできる。これは、捕捉デバイスが所望のネットワークにより迅速にロックオンすることができるように、捕捉デバイスがそのクロックを較正することを可能にすることができる。クロックを同期させることによって、クロック誤差を低減することは、より小さい探索ウィンドウ、およびＵＷＢシンボルクロック周波数の改善されたクロック精度仕様をもたらし、電力消費量とフォールスアラームの確率の両方の改善（すなわち、低減）をもたらすことができる。
【００２５】
［序論−ＵＷＢネットワークの例］  
超広帯域（ＵＷＢ）は、短距離における、極めて低い電力を使用する、比較的広い範囲の周波数帯域上の大量のデータの高速送信を可能にすることができる。ＵＷＢシステムは、それらの帯域幅と信号対雑音比（ＳＮＲ）の対数とに比例する能力を有する。ＵＷＢシステムは、極めて短いパルスが時間領域において送信されるとパルス信号が周波数領域において広く拡散する信号拡散特性を利用することができる。通信を実行するために一連の短持続時間パルスが拡散されるので、ＵＷＢシステムは、パルス繰返し期間を短縮し、単位周波数当たりの送信エネルギー密度を熱雑音のエネルギー密度未満のレベルに低下させることができる。ＵＷＢシステムでは、送信周波数帯域は、パルスの波形に従って判断され得る。ＵＷＢ信号は、スペクトラム拡散の一形態であり、したがって干渉の存在下でさえフェージングに対するある程度の保護を与える。ＵＷＢシステムは、時間ゲートされ得、したがってより少ない電力を消費し得る。
【００２６】
図１は、マルチバンド直交周波数分割多重（Ｍｕｌｔｉ−ｂａｎｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＭＢ−ＯＦＤＭ）用のＥＣＭＡ３６８超広帯域（Ｕｌｔｒａ−Ｗｉｄｅｂａｎｄ：ＵＷＢ）周波数スペクトル１０２の一例を示す。このスペクトルは、３．１ＧＨｚ〜１０．６ＧＨｚのスペクトル範囲中に、それぞれ５２８ＭＨｚ幅の１４個の帯域を含むことができる。これらの帯域はさらに、５つの帯域グループにグループ化され得る。帯域グループ＃１は帯域１〜３を含み、帯域グループ＃２は帯域４〜６を含み、帯域グループ＃３は帯域７〜９を含み、帯域グループ＃４は帯域１０〜１２を含み、帯域グループ＃５は帯域１３〜１４を含むことができる。３つの帯域の４つの隣接するグループを有することによって、より低い周波数における経路損失は、より高い周波数における経路損失よりも小さくなり得、したがってより低い帯域が好まれ得る。ＵＷＢ物理レイヤ（ＰＨＹ）のいくつかのハードウェア実装形態はただ１つの帯域グループ（典型的には、最も低い帯域グループ＃１）を使用し得るが、他のＰＨＹ実装形態は複数の帯域グループを使用し得る。複数の帯域グループをサポートするＰＨＹの設計は、帯域グループ＃１〜＃５がすべて同じ帯域幅を有するということによって単純化され得る。したがって、ＰＨＹ送信機または受信機は、単に局所発振器周波数を変更することによって最初の４つの帯域グループのうちのいずれかに同調することができる。（送信機における）アップコンバージョンの前または（受信機における）ダウンコンバージョンの後の共通のフィルタリングおよび処理は、選択された帯域グループにかかわらず５２８ＭＨｚ幅帯域に適用され得、したがって回路の複雑さを低減することができる。別の実施形態では、帯域９、１０、および１１を含むさらなる帯域グループ＃６が定義され得る。
【００２７】
符号化ビットは、それぞれ１００または２００ビットのグループに統合され得る。グループ内のビットのペアは、４位相偏移キーイング（ＱＰＳＫ）などの知られている変調技法を使用して、５２８ＭＨｚ帯域の１つの中で概して等しく離間された（典型的には１００個の）データトーンに変調され得る。一意のピコネットに関連するシンボルは、６つの帯域グループのうちの特定の１つを割り当てられ、さらにその割り当てられた帯域グループ内で一意の時間周波数符号を割り当てられ得る。連続するシンボルに割り当てられた帯域は、時間周波数符号に従って時間とともに変化するか、あるいは一定のままであり得る。
【００２８】
一意の論理チャネルが、帯域グループごとに最高１０個の異なる時間周波数符号（ＴＦＣ）を使用することによって定義され得る。時間周波数符号は、ＥＣＭＡ３６８信号によって使用されるホッピングパターンであり得る。２つのタイプのパターンがあり得る。第１のタイプは、時間周波数インターリーブ（Ｔｉｍｅ−Ｆｒｅｑｕｅｎｃｙ  Ｉｎｔｅｒｌｅａｖｅｄ：ＴＦＩ）され得、帯域グループ中の３つの周波数帯域の間で様々なパターンでホップする信号を含むことができる。第２のタイプは、固定周波数インターリーブ（Ｆｉｘｅｄ−Ｆｒｅｑｕｅｎｃｙ  Ｉｎｔｅｒｌｅａｖｅｄ：ＦＦＩ）と呼ばれることがあり、信号は、ホップすることができないが、１つの周波数帯域にとどまる。ＴＦＣ符号の長さはｎ個のシンボルであり得（ｎは整数値）、したがってＴＦＣ符号は１パケット中で少なくとも数回繰り返される。
【００２９】
図２は、帯域グループ中のすべての利用可能な帯域にわたってデータシンボルを拡散する１０個のＴＦ符号の時間周波数符号（ＴＦＣ）パターンの一例を示す表２０２である。符号パターンは、帯域グループ中の３つ（または帯域グループ＃５の場合は２つ）の利用可能な帯域のうちのいずれが、所与のピコネットからの連続データシンボル用に使用され得るかを決定することができる。たとえば、帯域グループ＃１が仮定され、ＴＦＣ１を考察すれば、データシンボルは、帯域１、帯域２、帯域３、帯域１、帯域２、帯域３と連続的に送信され、これが無限に繰り返され得る。帯域グループ２において使用される同じＴＦＣ１は、データを帯域４、帯域５、帯域６、帯域４、帯域５、帯域６と連続的に送信し、これを無期限に繰り返すことができる。各ネットワークは、帯域グループのうちの１つと、その帯域グループ内の一意のＴＦＣとを割り当てられ得る。
【００３０】
図３は、図２のＴＦＣのＰＨＹレイヤチャネル化方式の一例を示す表３０２である。表３０２は、ＰＨＹ帯域グループおよびＴＦ符号、ならびにＴＦＣおよび連続データシンボルの帯域番号の対応する繰返しシーケンスに対する、媒体アクセス制御（ＭＡＣ）チャネル番号のマッピングを示し、各ＴＦＣは時間に応じて不変であり得る。一意の論理チャネルは、帯域グループごとに最高１０個の異なるＴＦＣ符号を使用することによって定義され得る。チャネル番号は０〜２５５（１０進数）の値をとることができる。
【００３１】
一実施形態では、チャネル番号９〜１５は必須であり得る。ＴＦＣ１〜４を使用するチャネルは、上述の時間周波数インターリーブ（ＴＦＩ）チャネルであり、ＴＦＣ５〜７を使用するチャネルは、上述の固定周波数インターリーブ（ＦＦＩ）チャネルであり得る。正しいＴＦＣを発見するために捕捉デバイスが探索する必要があることがある多数のチャネルの結果として、ＵＷＢ初期捕捉が極めて遅くなることがある。
【００３２】
図４は、ＵＷＢ通信ネットワークの物理レイヤ（ＰＨＹ）フレーム構造の一例を示す。上述のように、物理レイヤコンバージェンスプロトコル（ＰＬＣＰ）は、サービスデータユニット（ＳＤＵ）をプロトコルデータユニット（ＰＤＵ）に変換するための方法を提供することができる。ＰＬＣＰ  ＰＤＵ（ＰＰＤＵ）は、ＰＬＣＰプリアンブル４０２と、ＰＬＣＰヘッダ４０４と、ＰＬＣＰ  ＳＤＵ（ＰＳＤＵ）４０６と、の３つのコンポーネントを備えることができる。ＰＬＣＰヘッダ４０４は、物理ヘッダ（「ＰＨＹヘッダ」）と、テールビットまたはテールシンボル（「ＴＳ」）と、媒体アクセス制御ヘッダ（「ＭＡＣヘッダ」）と、ヘッダチェックシーケンス（「ＨＣＳ」）と、パッドビットまたはスタッフビット（「ＳＢ」）と、を備えることができる。ＰＳＤＵ４０６は、フレームペイロードと、データＳＮＲ＋フレームチェックシーケンス（「ＦＣＳ」）と、テールビットまたはテールシンボル（「ＴＳ」）と、パッドビットまたはスタッフビット（「ＳＢ」）と、を備えることができる。
【００３３】
プリアンブル４０２は、パケット／フレーム同期用の時間領域部分と、それに後続するチャネル推定用の周波数領域部分という２つの部分を備えることができる。プリアンブル４０２は、送信／受信プロセス中の同期、キャリアオフセット補償、および受信信号の等化のために使用され得る。一意のプリアンブルシーケンスが各ＴＦＣに割り当てられ得る。ＰＨＹヘッダは、スクランブリングコード、ＭＡＣフレームのデータレート、およびデータ長などの情報を示すために使用され得る。ＭＡＣヘッダは、フレーム調整信号、ネットワーク識別子（「ＰＮＩＤ」）、宛先識別子（「ＤｅｓｔＩＤ」）、ソース識別子（「ＳｒｃＩＤ」）、断片化制御情報、およびストリームインデックス情報、を示すために使用され得る。
【００３４】
ＨＣＳは、ＰＨＹヘッダおよびＭＡＣヘッダにおいて生じる誤差を検出するために使用され得る。データ＋ＦＣＳでは、データフィールドは、データをその暗号化データとともに送信するために使用され得る。ＦＣＳフィールドは、送信されているデータにおける誤差検出のために使用され得る。ＳＢ中のビットは、所望のデータレートに適用されるシンボルサイズの整数倍であり得るサイズでデータ＋ＦＣＳを生成するために挿入される一種のダミービットであり得る。したがって、データ＋ＦＣＳのサイズが、所望のデータレートに適用されるシンボルサイズの整数倍であるとき、ＳＢは挿入される必要がないことがある。
【００３５】
図５は、ＥＣＭＡ３６８ＵＷＢ通信システムの標準的なプリアンブルフレーム構造５０２の一例を示す。該プリアンブル５０２は、図４に示されたプリアンブル４０２の一例であり得る。捕捉デバイスは、ＭＢ  ＯＦＤＭ  ＵＷＢネットワークを捕捉するためにプリアンブル５０２を使用することができる。プリアンブル５０２は、合計３０個の直交周波数分割多重（ＯＦＤＭ）シンボルを含むことができる。最初の２４個のプリアンブルシンボル５０４および５０６は、パケット検出、タイミング推定、キャリア周波数オフセット（ＣＦＯ）推定およびフレーム同期のために使用され得る。最後の６つのプリアンブルシンボル５０８は、チャネル推定のために使用され得る。ＥＣＭＡ３６８ＭＡＣは、同期方式または分散方式を使用することによって、それ自体を、従来の集中型ワイヤレスパーソナルエリアネットワーク（ＷＰＡＮ）システム、たとえば、ブルートゥースおよびＩＥＥＥ８０２．１５．３と区別することができる。チャネル時間リソースは、２５６個の媒体アクセススロット（ＭＡＳ）を備え得る固定長スーパーフレームに編成され得る。
【００３６】
図６は、ＵＷＢ媒体アクセス制御（ＭＡＣ）スーパーフレームの一例を示す。各ＭＡＳは２５６μ秒間持続し得る。各スーパーフレーム６０２の開始時において、ビーコン期間（Ｂｅａｃｏｎ  Ｐｅｒｉｏｄ：ＢＰ）は、ビーコンを交換するためにすべてのデバイスに割り振られ得るｎ個のＭＡＳを備えることができる。たとえば、図６には、アクティブなデバイス「９」、「２」、「８」、…、「ｎ」のビーコンが示されている。ビーコン期間は、存在するデバイスの数によって決定される可変長を有することができる。あらゆるデバイスは、そのビーコンを各スーパーフレームのＢＰ中に送信することができる。ビーコンは、システム同期を維持し、ネットワークトポロジを学習し、チャネルアクセスを調整するために使用され得る。スーパーフレーム中の残りの時間は、データ転送、すなわち、データ転送期間（Ｄａｔａ  Ｔｒａｎｓｆｅｒ  Ｐｅｒｉｏｄ：ＤＴＰ）用に使用され得る。
【００３７】
ビーコン期間は、ビーコンスロットに分割され、順に０で始まる番号付けがされ得る。最初の２つのビーコンスロットは、シグナリングスロットと呼ばれることがあり、ネイバーのＢＰ長さを延長するために使用され得る。すべてのアクティブなデバイスは、ＢＰ中にビーコンを送信し、ネイバーのビーコンをリッスンすることができる。同じビーコン期間中にビーコニングに関与するすべてのデバイス（すなわち、それらのデバイスのビーコンにおいて同じビーコン期間開始時間（ＢＰＳＴ）を示すデバイス）は、ビーコングループ（ＢＧ）と呼ばれることがある。デバイスのビーコンが前の３つのスーパーフレームのうちの少なくとも１つにおいて正しく受信されていた場合、そのデバイスはビーコングループのメンバーであると見なされ得る。
【００３８】
デバイスが同じ開始フレームを識別するビーコンを受信するデバイスのセットは、ピコネットと呼ばれることがある。すなわち、同じピコネットに属するすべてのデバイスは、ピコネット時間参照として使用され得るＭＡＣスーパーフレームの開始に関して同期され得る。デバイスは、ピコネットに加わることを希望するとき、既存のビーコン期間をリッスンすることができる。何も検出されない場合、デバイスは、それ自体のビーコンを送信することによって新しいピコネットを開始することができる。他の場合、デバイスは、すべてのビーコンを復号することができる。
【００３９】
図７は、トランザクションが確認応答を与えないＵＷＢ通信ネットワークにおけるフレームトランザクション７０２を示す。好ましくは、ＵＷＢデバイスは、スーパーフレームのビーコン期間が開始する前にＯＦＤＭ  ＵＷＢネットワークの探索プロセスを開始することができる。さもなければ、ＵＷＢデバイスは、次のビーコン期間が開始するまで待たなければならないことがあり、それは少なくともさらなる６５ｍｓを要し得る。知られている参照時間に対していつスーパーフレームが開始するかをＵＷＢデバイスが判断することができる場合、探索プロセスは６５ｍｓ程度も短縮され得る。探索プロセスが縮小されるので、電力消費量は節約され、ＵＷＢデバイスの動作寿命は延長され得る。デバイスは、ビーコン期間内にビーコンを発見することができない場合、スリープに後退し、次のビーコン期間の前に再びウェイクアップすることができるので、探索プロセスは縮小され得る。たとえば、デバイスがバッテリによって電力供給される場合、それはデバイスが再充電の間により長い時間期間動作することができることを意味するので、これは特に有用であり得る。
【００４０】
データ送信は、２つのフレーム間隔によって後続され得る。第１のフレーム間隔は、ターンアラウンドタイムに対応し得るショートフレーム間隔（Ｓｈｏｒｔ  Ｉｎｔｅｒｆｒａｍｅ  Ｓｐａｃｉｎｇ：ＳＩＦＳ）または最小フレーム間隔（Ｍｉｎｉｍｕｍ  Ｉｎｔｅｒ−Ｆｒａｍｅ  Ｓｐａｃｉｎｇ：ＭＩＦＳ）であり得る。ＭＩＦＳ／ＳＩＦＳの値はそれぞれ１．８７５μ秒および１０μ秒であり得る。第２のフレーム間隔は、ガードタイム間隔（Ｇｕａｒｄ  Ｔｉｍｅ  Ｉｎｔｅｒｖａｌ：ＧＴＩ）であり得、デバイス間の同期誤差およびクロックドリフトに対応することができる。ガードタイムは、分散予約プロトコル（ＤＲＰ）予約ブロックとビーコン期間（ＢＰ）とのすべての境界に適用できる。ＳＩＦＳ／ＭＩＦＳとＧＴＩの両方は、オーバーヘッドと見なされ得、結果としてＭＡＣ効率を低減させることがある。ＧＴＩは、±２０ｐｐｍの最大シンボルクロック周波数許容差と、ＭＡＣスーパーフレームの持続時間と、４つの失われたビーコン期間と、１μ秒のクロック分解能と、に基づいて計算され得る。デバイスは、ＤＲＰ予約ブロックの開始の前にＧＴＩをリッスンすることを開始することができる。シンボルクロック周波数ドリフトが改善する場合、ＧＴＩはより短くなり、結果として受信機電力消費量がより少なくなり得、それは、ＭＡＣ効率を改善しフォールスアラームの確率を改善することができる。
【００４１】
図８は、トランザクションが即時の確認応答（ＡＣＫ）を与えるＵＷＢ通信ネットワークにおけるフレームトランザクション８０２を示す。
【００４２】
［支援されたネットワーク捕捉］  
図９は、第１の捕捉デバイス９０２が、すでに第１のネットワークの一部である第２のデバイスからどのように第１のネットワーク情報を得ることができるかの一例を示すブロック図である。捕捉第１のデバイス９０２と支援第２のデバイス９０４の両方は、第１のネットワークとは別個の第２のネットワーク上での通信をサポートする追加のネットワークインターフェースを有することができる。
【００４３】
捕捉第１のデバイス９０２は、その捕捉デバイス９０２が加わることを意図する第１のネットワークについて事前の知識を有しないことがあり得る。しかしながら、支援デバイス９０４は、すでに加わっているか、あるいは第１のネットワーク情報（たとえば、識別された通信周波数、チャネル、タイミング、スクランブリングコードおよび／または位相、支援デバイスが使用している可能性がある時間周波数符号、パケットの任意の同期情報、およびキャリア周波数からの任意の周波数オフセット、など）を捕捉していることがある。
【００４４】
捕捉デバイス９０２および支援デバイス９０４はそれぞれ、第１のネットワーク９０６上での通信用に適合された第１の通信インターフェース９０８および９１０と、第２のネットワーク上での通信用に適合された第２の通信インターフェース９１２および９１４とを含むことができる。いくつかの例によれば、第１および第２の通信インターフェース９０８、９１０、９１２、および９１４は、短距離通信および／またはピアツーピア通信を可能にすることができる。一例では、第１および第２の通信インターフェースは、ワイドエリアネットワーク、ローカルエリアネットワーク、パーソナルエリア通信ネットワークおよび／またはボディエリアネットワークをサポートすることができる。たとえば、第１の通信インターフェース９０８および９１０は、ＯＦＤＭ  ＵＷＢネットワーク上で通信するためのＵＷＢモジュールであり得る。第２の通信インターフェース９１２および９１４は、ブルートゥースネットワーク上で通信するためのブルートゥース対応モジュールであり得る。
【００４５】
さらに、デバイス９０２とデバイス９０４のネットワーキングは、デバイス９０２とデバイス９０４との間の送信が協調され得るようにデバイス９０２とデバイス９０４が同期されることを必要とすることがある。受信デバイスおよび送信デバイスは、いつモジュール間のデータ送信が生じるかを知ることができる。データ送信のスケジューリングは、媒体アクセス制御（ＭＡＣ）スケジューリングを通して実行され得る。
【００４６】
一例では、第１の通信インターフェース９０８および９１０はＵＷＢデバイスであり得る。送信は、ＵＷＢデバイスのスーパーフレームのデータ交換期間中に生じることができる。適切に動作するために、ＵＷＢデバイスのスーパーフレームのデータ交換期間は同期され得る。同期は、ビーコンを使用して達成され得る。さらに、ガードタイムが、ＤＲＰ予約ブロックとビーコン期間（ＢＰ）との境界において使用され得る。ガードタイム間隔は、デバイスのＭＡＳ境界時間の間の最大差に依存することができる。この差は、同期誤差およびクロックドリフトから生じ得る。同期は、ＢＰ中にも達成され得、同期誤差は、ＭＡＣクロック分解能に応じ得る。ドリフトは、クロック精度と、同期イベントから経過した時間とに応じ得る。水晶の精度を向上させる（高める）ことによる同期は、極めて費用がかかり得るので、好まれない。各ＵＷＢデバイス９０２および９０４のスーパーフレームは、固定継続時間のスロットに分割され得る。ＭＡＣ制御情報は、スーパーフレーム中の初期スロット中に競合のない方法でビーコンを送信および受信することによって交換され得る。残りのスロットは、データの交換のために利用可能であり得る。プロトコルは、各ＵＷＢデバイス９０２および９０４が、競合なしのデータ送信のために特定のスロットを予約するためにビーコンを使用することを可能にすることができる。各ＵＷＢデバイス９０２および９０４のスーパーフレームは、ＵＷＢデバイス９０２とＵＷＢデバイス９０４との間のデータ送信が予想された時間において生じるように同期され得る。
【００４７】
始動時に、またはサービスが失われた場合に、捕捉第１のデバイス９０２は、その第１の通信インターフェース（たとえば、ＵＷＢデバイス）を介して通信を開始することを望むことができる。したがって、第１のデバイス９０２は、その第２の通信インターフェース９１２を使用して他の近くのデバイスをスキャンすることができる。あるいは、捕捉第１のデバイス９０２および支援第２のデバイス９０４は、あらかじめ決められた関連付けを有するか、または、それらの第２の通信インターフェース９１２および９１４との間にあらかじめ決められた関連付けが存在することができる。一例では、支援第２のデバイス９０４は、すでにＯＦＤＭ  ＵＷＢネットワークのネットワーク情報を捕捉していることがある。捕捉第１のデバイス９０２は、支援第２のデバイス９０４から、それらの第２の通信インターフェース９１２および９１４を介してＵＷＢネットワーク情報を得ることができる。そのようなネットワーク情報は、たとえば、その時間周波数符号、ならびに初期捕捉プロセスを高速化するために使用され得る他の時間および／または周波数情報を含むことができる。次いで、第１のデバイス９０２は、このネットワーク情報を使用して、第１の通信インターフェース９０８を介してＵＷＢネットワーク通信を捕捉することができる。
【００４８】
支援第２のデバイス９０４からネットワーク情報を得ることの別の特徴は、捕捉第１のデバイス９０２が、それ自体でそのような情報を発見するために１つまたは複数の周波数帯域の網羅的なスキャンを実行した場合よりも少ない電力を消費し得ることである。さらに、捕捉第１のデバイス９０２が、いつビーコンをスキャンすべきかを知り、ビーコンが送信されていない時間中にスキャンして時間およびエネルギーを浪費しないように、ワイヤレスネットワーク情報は、スーパーフレームの開始を示すことができる。したがって、電力消費量が節約され、捕捉第１のデバイス９０２の動作寿命が延長され得る。たとえば、捕捉第１のデバイス９０２がバッテリによって電力供給される場合、それは第１のデバイスが再充電の間により長い時間期間動作することができることを意味するので、これは特に有用であり得る。
【００４９】
［支援デバイスクロックドリフト補償］  
図１０は、支援デバイス１００２が、どのように捕捉デバイス１００４とタイミング情報を共有し、捕捉デバイス１００４のクロックシンボル周波数を較正することができるかの一例を示すブロック図１０００である。図１０はまた、支援デバイス１００２のさらなる詳細を示すブロック図を含む。捕捉デバイス１００４が適切に効率的に動作するために、支援デバイス１００２のクロックと捕捉デバイス１００４のクロックは同期され得る。前述のように、クロック信号を生成するデバイス内の水晶は一般にドリフトするので、同期は困難になり得る。同期およびタイミングのドリフトおよび欠如を克服するために、支援デバイス１００２は、そのクロック１０１０のドリフトおよび／またはその一般的発振器１００６のドリフトに関する情報を捕捉デバイス１００４に供給することができる。デバイス１００２および１００４はそれぞれ、ＵＷＢモジュール１０１４および１０１６と、ブルートゥース（ＢＴ）モジュール１０１８および１０２０と、を備えることができる。
【００５０】
支援デバイス１００２のクロック１０１０がある量だけドリフトしていることを捕捉デバイス１００４が知っている場合、捕捉デバイス１００４は、その受信機をオンにされた状態に保たなくてもよい。クロック１０１０、すなわちタイミング情報のドリフトを知ることによって、このタイミング情報は、捕捉デバイス１００４に送信され得る。あるいは、捕捉デバイス１００４中のＢＴモジュール１０１８が支援デバイス１００２中のＢＴモジュール１０２０をトラッキングしており、捕捉デバイス１００４中のＵＷＢモジュール１０１４が支援デバイス１００２中のＢＴモジュール１０２０にロックされる場合、捕捉デバイス１００４中のＵＷＢモジュール１０１４は、支援デバイス１００２中のＵＷＢモジュール１０１６を厳密にトラッキングすることができる。スーパーフレームは特定の開始時間および終了時間を有し得るので、タイミング情報は、捕捉デバイス１００４がスーパーフレームのおおよその開始を判断することを可能にすることができ、したがって、捕捉デバイス１００４は、その受信機を開始時間までオンにする必要がない。その結果、スーパーフレームの開始を発見するための探索時間は低減され得、したがって電力消費量は節約され、捕捉デバイス１００４の動作寿命は延長され得る。
【００５１】
さらに、デバイス１００２とデバイス１００４が互いに接続され得るとき、支援デバイス１００２は、たとえば、一般的発振器１００６を通して、捕捉デバイス１００４のクロックシンボル周波数を較正することもできる。一般的発振器（ＶＣＯ）１００６が同じドリフトを有する場合、捕捉ＵＷＢデバイス１００４は、そのドリフトを検出することができる。一般的発振器１００６は、ブルートゥース周波数を生成し得る第１の周波数シンセサイザ１００８と、ＵＷＢ周波数を生成し得る第２の周波数シンセサイザ１０１２と、を駆動することができる。
【００５２】
捕捉デバイス１００４がブルートゥースリンクを通して支援デバイス１００２のクロック１０１０のドリフトを知った場合、捕捉デバイス１００４は、クロック１０１０がどのくらい速くドリフトしているかを判断することができる。したがって、デバイス１００２と１００４が通信するとき、捕捉デバイス１００４は、（支援デバイス１００２中の）一般的発振器１００６がどのくらいドリフトし得ているかを知り、この情報を捕捉デバイス１００４のＵＷＢデバイスモジュール１０１４に通信することができる。次いで、（捕捉デバイス１００４の）ＵＷＢデバイスモジュール１０１４は、支援デバイス１００２の周波数がどのくらいドリフトしているかを知ることができ、それによってＵＷＢデバイスモジュール１０１４がキャリア周波数をより迅速に判断することが可能になる。すなわち、発振器１００６のドリフトにもかかわらず、（捕捉デバイス１００４の）ＵＷＢモジュール１０１４は、キャリア周波数を求めて広いスペクトル中を探索する必要がない。言い換えれば、２つデバイス１００２および１００４が互いに通信しており、（支援デバイス１００２の）一般的発振器１００６のドリフトが判断され得る場合、捕捉デバイス１００４は、このドリフトを補償することができる。発振器１００６のドリフトが知られると、支援デバイス１００２は、そのドリフトを調整し、それによって周波数同期を行うことができるように、この情報を捕捉デバイス１００４に供給することができる。
【００５３】
タイミングおよび周波数ドリフトをなくすことの結果として、ＵＷＢパケットはより短くなり、初期捕捉時間は改善され得、送信された第１のプリアンブルを発見する見込みを向上させることができる。これは、短いプリアンブルが最初から使用されることを可能にすることができる。
【００５４】
［短縮されたプリアンブル／アウェイクリード時間の短縮／改善された効率］  
支援された捕捉を利用することの１つの結果は、捕捉デバイスが当該のワイヤレスネットワークを認識および／または検出するために長いプリアンブル（たとえば、図５中のパケット同期シーケンス５０４およびフレーム同期シーケンス５０６）を必要としないということである。より長いプリアンブルは、（たとえば、知られているシンボルシーケンスに対するプリアンブルの相関による）フレームの開始の検出のために使用される。標準的なプリアンブルの長さは、部分的には、誤った確実な識別を回避しながら（潜在的には干渉の存在下で）フレームの出現を受信機に確実に識別させる必要性による。しかしながら、支援デバイスから同期情報を得ることによって、捕捉デバイスは、フレームが特定の帯域、周波数および時間において検出されるより大きい確度を有する。したがって、プリアンブルは、短縮され得る。結果的に、ＵＷＢ用の標準的な２４シンボルプリアンブル（図５中の５０４および５０６）は、たとえば、２４シンボル未満に短縮され得る。
【００５５】
さらに、（図７のＧＴＩなどに示された）ガードタイム間隔は、一般に、ネットワーク中のクロック間のばらつきを考慮に入れるために使用される。受信デバイスは、フレームを正確に受信することができるようにガードタイム間隔中にリッスンを開始する。しかしながら、ネットワーク情報が別のデバイスによってそのクロックドリフト情報とともに供給されるならば、ネットワークの正確度は改善される。すなわち、受信デバイスは、ネットワークフレームにより良く同期され、その受信機を大幅により短いガードタイム間隔内にアウェイクさせることができる。
【００５６】
支援された捕捉について説明された技法は、同じ時間量中により多くのパケットが送信され得るので、改善されたシステム効率をもたらす。すなわち、プリアンブルおよびガードタイム間隔は短縮され得、それによって同じ時間量中により多くのパケットが送信されることが可能になる。
【００５７】
さらに、捕捉デバイスは、第１のアクセス端末を検出するための超広周波数スペクトルの潜在的に長いスキャンを回避することができるので、節電も達成され得る。
【００５８】
［支援された初期捕捉のための方法］  
図１１は、支援デバイス（たとえば、支援アクセス端末）から捕捉デバイス（たとえば、捕捉アクセス端末）へのワイヤレスネットワーク情報の配信を可能にするための２つのデバイス間の方法を示す。捕捉デバイス１１０２は、ピアツーピアおよび／またはアドホック通信用の第１の短距離ワイヤレス通信インターフェース（たとえば、ＵＷＢモジュール）と、第２の短距離ワイヤレス通信インターフェース（たとえば、ブルートゥース対応モジュール）と、を有することができる。同様に、支援デバイス１１０４は、ピアツーピアおよび／またはアドホック通信用の第３の短距離ワイヤレス通信インターフェース（たとえば、ＵＷＢモジュール）と、第４の短距離ワイヤレス通信インターフェース（たとえば、ブルートゥース対応モジュール）と、を有することができる。したがって、第１および第３のワイヤレス通信インターフェースは、第１のタイプのワイヤレスネットワーク、たとえば、ＵＷＢネットワークのために使用され、第２および第４のワイヤレス通信インターフェースは、第２のタイプのワイヤレスネットワーク、たとえば、ブルートゥースネットワークのために使用され得る。
【００５９】
捕捉デバイス１１０２は、未知の（ＵＷＢ）ワイヤレスネットワーク領域において捕捉デバイス１１０２の第１のワイヤレスインターフェースの動作を始動または再開することができる（１１０６）。支援デバイス１１０４は、その支援デバイス１１０４の第３の短距離通信インターフェース１００８を介して第１のネットワーク（たとえば、ＵＷＢネットワーク）の情報を以前に得ていることがある。したがって、支援デバイス１１０４は、第１のワイヤレスネットワーク情報（たとえば、識別された第１のワイヤレスネットワークの時間周波数符号、周波数、チャネル、タイミング、スクランブリングコードおよび／または位相など）を維持することができる。捕捉デバイス１１０２は、その捕捉デバイス１１０２の第２の短距離通信インターフェース（たとえば、第２のワイヤレスネットワーク）を介して第１のワイヤレスネットワーク情報に対する要求を送信またはブロードキャストすることができる（１１１２）。捕捉デバイス１１０２は、その捕捉デバイス１１０２の第２の短距離通信インターフェースを介して応答をスキャンまたはリッスンすることができる（１１１４）。
【００６０】
支援デバイス１１０４の第４の通信インターフェースを介して捕捉デバイス１１０２から要求を受信すると、支援デバイス１１０４は、支援デバイス１１０４の第４の短距離通信インターフェースを介してそのクロック情報（たとえば、クロッキングタイミング情報および／またはシンボルクロック周波数）とともに第１のワイヤレスネットワーク情報（たとえば、識別された時間周波数符号、周波数、チャネル、タイミング、スクランブリングコードおよび／または位相など）を送る／ブロードキャストする／送信することができる（１１１６）。捕捉デバイス１１０２は、第１のワイヤレスインターフェースを介した通信のためにそのクロックを整合させるおよび／または較正するために、タイミング情報を使用することができる（１１１８）。
【００６１】
支援デバイス１１０４からワイヤレスネットワーク情報を受信すると、捕捉デバイス１１０２は、ビーコン期間まで待機して、捕捉デバイス１１０２の第１の短距離通信インターフェースを介したビーコンのスキャン／リッスンを開始することができる（１１２０）。次いで、捕捉デバイス１１０２は、その捕捉デバイス１１０２の第１の短距離通信インターフェースを介してＯＦＤＭ  ＵＷＢシステムへの通信リンクを捕捉することができる（１１２２）。ワイヤレスネットワーク情報は近くの支援デバイス１１０４から得られるので、捕捉デバイスは、時間周波数符号（ＴＦＣ）をいつ期待すべきかを知り、第１のネットワーク情報の長いスキャンを回避しながらワイヤレスネットワーク用のアクセスノードとの通信を迅速に捕捉する。
【００６２】
［捕捉デバイスおよびその動作の例］  
図１２は、別のアクセス端末の支援を受けて第１のワイヤレスネットワークを捕捉するように構成され得るアクセス端末の一例を示すブロック図である。アクセス端末１２０２は、長距離通信インターフェース１２０６、第１の通信インターフェース１２０８、第２の通信インターフェース１２１０および／または記憶デバイス１２１２、に結合された処理回路１２０４を含むことができる。長距離通信インターフェース１２０６、ならびに第１および第２の通信インターフェース１２０８および１２１０は、様々なタイプのネットワークと通信するように適合され得る。長距離通信インターフェース１２０６は、中央管理型ワイヤレス通信ネットワーク１２１４（たとえば、ワイドエリアネットワーク、パブリックランドモバイルネットワーク（Ｐｕｂｌｉｃ  Ｌａｎｄ  Ｍｏｂｉｌｅ  Ｎｅｔｗｏｒｋ：ＰＬＭＮ）など）上で通信する働きをすることができる。第１の通信インターフェース１２０８は、パーソナルエリアネットワーク（ＰＡＮ）、アドホックピアツーピアネットワーク、または短距離ネットワークなど、第１のワイヤレスネットワーク１２１８と通信する働きをすることができる。同様に、第２の通信インターフェース１２１０は、パーソナルエリアネットワーク（ＰＡＮ）、アドホックピアツーピアネットワーク、または短距離ネットワークなど、第２のワイヤレスネットワーク１２１６上で通信する働きをすることができる。一例では、第１のワイヤレスネットワーク１２１８は、超広帯域（ＵＷＢ）ネットワークであり、第２のワイヤレスネットワーク１２１６は、ブルートゥース対応ネットワークであり得る。たとえば、長距離通信インターフェース１２０６、第１および第２の通信インターフェース１２０８および１２１０は、異なる周波数帯域中かまたは重複する周波数帯域中かを問わず、異なるネットワーク上で通信するように適合され得る。
【００６３】
長距離通信インターフェース１２０６は、より低電力の第１および／または第２の通信インターフェース１２０８および１２１０に対して高電力通信インターフェースであり得る。アクセス端末１２０２は、それを介してアクセス端末１２０２が通信するネットワークの情報を記憶するために記憶デバイス１２１２を使用することができる。
【００６４】
ネットワークサービスがない後の初期始動または再開時に、捕捉アクセス端末１２０２は、未知の第１のワイヤレスネットワーク１２１８の領域内にあり得る。別のシナリオでは、アクセス端末１２０２は、新しいワイヤレスネットワークに動作を切り替えることがあり、アクセス端末１２０２は、通信を捕捉するためにその新しいワイヤレスネットワークの不十分な知識しか有しない。
【００６５】
第１の通信インターフェース１２０８を介した通信リンクをセットアップするのに用いる第１のワイヤレスネットワーク情報を得るために１つまたは複数の周波数帯域をスキャンするのではなく、アクセス端末１２０２は、すでに第１のワイヤレスネットワーク１２１８の一部である別の近くの（すなわち支援）デバイスからそのような第１のネットワーク情報を得るために、そのアクセス端末１２０２の第２の通信インターフェース１２１０を利用することができる。すなわち、第２のワイヤレスネットワーク上で通信リンクを確立することは、より容易、またはより高速、またはより電力効率的になり得る。たとえば、第２のワイヤレスネットワーク１２１６は、特定の知られている周波数（または周波数帯域）において動作する低帯域幅ネットワークであり得るが、第１のワイヤレスネットワーク１２１８は、周波数の超広セット上で動作するより高い帯域幅のネットワークであり得る。
【００６６】
様々な例によれば、（別の近くのデバイスを用いた）第２の通信インターフェース１２１０を介した通信リンクは、いくつかの方法で確立され得る。たとえば、捕捉アクセス端末１２０２は、他のデバイスによって監視されるチャネル上で（たとえば、それらの他のデバイスと事前の関係を確立していること無しに）捕捉アクセス端末１２０２の第２の通信インターフェース１２１０を介してブロードキャストで第１のワイヤレスネットワーク情報に対する要求を送信することができる。あるいは、捕捉アクセス端末１２０２は、事前の関係がそれらの他の近くまたはローカルのデバイスと確立されること有りでまたは無しで、１つまたは複数の近くまたはローカルのデバイスを識別し、捕捉アクセス端末１２０２の第２の通信インターフェース１２１０を介して第１のワイヤレスネットワーク情報に対するターゲット要求を各デバイスに送信することができる。たとえば、第２の通信インターフェース１２１０がブルートゥース対応インターフェースである場合、ローカルワイヤレスネットワーク情報（たとえば、パーソナルエリアネットワーク情報など）に対する要求として他のブルートゥース対応デバイスによって認識される「捕捉」プロファイルが確立され得る。
【００６７】
図１３は、一例による、支援された初期ネットワーク捕捉を実行するための捕捉アクセス端末上で動作可能な方法を示す。捕捉アクセス端末は、第１のワイヤレスネットワーク情報に対する要求をブロードキャストするとき、未知のネットワーク領域において動作を開始または再開することができる（１３０２）。第１のワイヤレスネットワーク情報に対する要求は、第２のワイヤレスネットワーク上で捕捉アクセス端末によって（たとえば、第２のワイヤレスインターフェースを介して）ブロードキャストされ得る（１３０４）。次いで、捕捉アクセス端末は、第２のワイヤレスネットワーク上で支援アクセス端末から第１のワイヤレスネットワーク情報を含む応答を（第２のワイヤレスインターフェースを介して）リッスンすることができる（１３０６）。第１のワイヤレスネットワークおよび第２のワイヤレスネットワークのうちの少なくとも一方は、ピアツーピアネットワークであり得る。応答が受信されない場合（１３０８）、捕捉アクセス端末は、第１のワイヤレスネットワークを検出するために複数の周波数帯域をスキャンすることができる（１３２２）。
【００６８】
応答が受信された場合（１３０８）、受信された第１のワイヤレスネットワーク情報は、第１のワイヤレスネットワークの時間周波数符号、周波数、チャネル、タイミング情報、スクランブリングコードおよび位相のうちの少なくとも１つを含むことができる。捕捉アクセス端末はまた、第２のワイヤレスネットワークを介して支援アクセス端末からクロックタイミング情報を受信することができる（１３１０）。捕捉デバイスは、第１のワイヤレスネットワーク上でデータ交換期間を同期させるために、アクセス端末の第１のクロックを支援アクセス端末の第２のクロックと整合させるため、このクロックタイミング情報を使用することができる（１３１２）。すなわち、アクセス端末は、支援アクセス端末の一般的発振器のドリフトを補償することによって第１のワイヤレスネットワーク情報を調整するために、受信されたクロックタイミング情報を使用することができる。
【００６９】
次いで、捕捉アクセス端末は、受信された第１のワイヤレスネットワーク情報によって識別可能な周波数帯域に第１の通信インターフェースを同調させることができる（１３１４）。第１の通信インターフェースは、第１のワイヤレスネットワーク用のブロードキャストされる物理レイヤ（ＰＨＹ）フレームプリアンブルの予想される開始の直前に（スリープまたは低電力状態から）アウェイクされ得る（１３１６）。次いで、捕捉アクセス端末は、受信された第１のワイヤレスネットワーク情報に基づいて第１のワイヤレスネットワークを検出することができる（１３１８）。ＰＨＹフレームプリアンブルの長さは、２４シンボル未満であり得る。第１のワイヤレスネットワークが検出すると、次いで、捕捉アクセス端末は、第１のワイヤレスネットワーク上で（別のデバイスとの）通信サービスを捕捉することができる（１３２０）。
【００７０】
第１の通信インターフェースを介して第１のワイヤレスネットワークは検出され、通信サービスは捕捉され得、第２の通信インターフェースを介して要求はブロードキャストされ、第１のワイヤレスネットワーク情報は受信され、第１のワイヤレスネットワークは、第２のワイヤレスネットワークとは異なるタイプである。一例では、第１の通信インターフェースおよび第２の通信インターフェースのうちの少なくとも一方は、短距離通信インターフェースである。たとえば、第１のワイヤレスネットワークは、超広帯域ネットワークであり、第２のワイヤレスネットワークは、ブルートゥース対応ネットワークであり得る。
【００７１】
支援されたネットワーク捕捉を実装することの結果として、捕捉アクセス端末は、第１のワイヤレスネットワークを識別するビーコンまたはフレームを発見するために（ステップ１３２２に記載の）１つまたは複数の周波数帯域の網羅的なスキャンを実行した場合よりも少ない電力を消費し得る。さらに、第２の通信インターフェースは、低電力インターフェースであり得るので、比較的小さい電力を消費し得る。したがって、電力消費量が節約され、捕捉アクセス端末の動作寿命が延長され得る。
【００７２】
［支援デバイスおよびその動作の例］  
図１４は、支援された初期ネットワーク捕捉用に構成され得る支援アクセス端末の一例を示すブロック図である。支援アクセス端末１４０２は、長距離通信インターフェース１４０６と、第１の通信インターフェース１４０８と、第２の通信インターフェース１４１０と、記憶デバイス１４１２と、に結合された処理回路１４０４を含むことができる。長距離通信インターフェース１４０６、ならびに第１および第２の通信インターフェース１４０８および１４１０は、様々なタイプのネットワークと通信するように適合され得る。長距離通信インターフェース１４０６は、中央管理型ワイヤレス通信ネットワーク１４１４（たとえば、ワイドエリアネットワーク、ＰＬＭＮなど）上で通信する働きをすることができる。第１の通信インターフェース１４０８は、パーソナルエリアネットワーク（ＰＡＮ）、アドホックピアツーピアネットワーク、または短距離ネットワークなど、第１のワイヤレスネットワーク１４１８と通信する働きをすることができる。同様に、第２の通信インターフェース１４１０は、パーソナルエリアネットワーク（ＰＡＮ）、アドホックピアツーピアネットワーク、または短距離ネットワークなど、第２のワイヤレスネットワーク１４１６上で通信する働きをすることができる。一例では、第１のワイヤレスネットワーク１４１８は超広帯域（ＵＷＢ）ネットワークであり、第２のワイヤレスネットワーク１４１６はブルートゥース対応ネットワークであり得る。たとえば、長距離通信インターフェース１４０６、第１および第２の通信インターフェース１４０８および１４１０は、異なる周波数帯域中かまたは重複する周波数帯域中かを問わず、異なるネットワーク上で通信するように適合され得る。長距離通信インターフェース１４０６は、より低電力の第１および／または第２の通信インターフェース１４０８および１４１０に対して高電力通信インターフェースであり得る。アクセス端末１４０２は、それを介してアクセス端末１４０２が通信するネットワークの情報を記憶するために記憶デバイス１４１２を使用することができる。
【００７３】
支援アクセス端末１４０２は、第１のワイヤレスネットワーク１４１８上で動作可能であり、および／または第１のワイヤレスネットワーク、すなわち、パーソナルエリアネットワーク１４１８に関する情報を得ていると仮定され得る。そのような第１のワイヤレスネットワーク情報は、たとえば、時間周波数符号と、知られている参照周波数に対するオフセット周波数のリストと、他の時間および／または符号情報とを含むことができる。支援アクセス端末デバイス１４０２は、その支援アクセス端末デバイス１４０２の第２の通信インターフェース１４１０を介して他の近くのデバイスからワイヤレスネットワーク情報に対する要求をリッスンすることができる。そのような要求が受信された場合、支援アクセス端末１４０２は、記憶デバイス１４１２に記憶された第１のワイヤレスネットワーク情報を支援アクセス端末１４０２の第２の通信インターフェース１４１０を介して要求元（捕捉）アクセス端末に供給し、それによって第１のワイヤレスネットワークの参照ビーコンを発見する際に捕捉アクセス端末を支援することができる。
【００７４】
図１５は、支援された初期ネットワーク捕捉を実行するための支援アクセス端末上で動作可能な方法を示す。第１の通信インターフェースに関連する第１のワイヤレスネットワークのための第１のワイヤレスネットワーク情報を維持する（１５０２）。支援ワイヤレス端末は、第２の通信インターフェースを介してワイヤレスネットワーク情報要求をリッスンすることができる（１５０４）。要求が受信されない場合、支援アクセス端末はワイヤレスネットワーク情報要求のリッスンを継続することができる（１５０４）。そのような要求が受信された場合（１５０６）、支援アクセス端末は、第１のワイヤレスネットワーク情報を第２の通信インターフェースを介して要求元／捕捉アクセス端末に送るまたは送信する（１５０８）。さらに、支援アクセス端末はまた、捕捉アクセス端末が第１のワイヤレスネットワーク上でデータ交換期間を同期させるのを支援するために第２のワイヤレスネットワークを介して捕捉アクセス端末にクロックタイミング情報を送信することができる（１５１０）。第１のワイヤレスネットワークおよび第２のワイヤレスネットワークのうちの少なくとも一方は、ピアツーピアネットワークであり得る。第１の通信インターフェースおよび第２の通信インターフェースのうちの少なくとも一方は、短距離通信インターフェースであり得る。一例では、第１のワイヤレスネットワークは、超広帯域ネットワークであり、第２のワイヤレスネットワークは、ブルートゥース対応ネットワークである。第１のワイヤレスネットワーク情報は、第１のワイヤレスネットワークの時間周波数符号、周波数、チャネル、タイミング情報、スクランブリングコード、および位相、のうちの少なくとも１つを含むことができる。
【００７５】
一般に、本開示で説明された処理の大部分は、同様に実装され得ることを当業者は認識されよう。（１つまたは複数の）回路または回路部分のいずれも、１つまたは複数のプロセッサをもつ集積回路の一部として、単独で、または組合せで実装され得る。回路の１つまたは複数は、集積回路、アドバンスＲＩＳＣマシン（Ａｄｖａｎｃｅ  ＲＩＳＣ  Ｍａｃｈｉｎｅ：ＡＲＭ）プロセッサ、デジタル信号プロセッサ（ＤＳＰ）、汎用プロセッサ、など上に実装され得る。
【００７６】
図１、図２、図３、図４、図５、図６、図７、図８、図９、図１０、図１１、図１２、図１３、図１４および／または図１５に示されたコンポーネント、ステップ、および／または機能のうちの１つまたは複数は、単一のコンポーネント、ステップ、または機能に再構成されおよび／または組み合わせられ、あるいは、複数のコンポーネント、ステップ、または機能で実施され得る。追加の要素、コンポーネント、ステップ、および／または機能も追加され得る。図９、図１０、図１２および／または図１４に示された装置、デバイス、および／またはコンポーネントは、図１１、図１３および／または図１５に記載された方法、特徴、またはステップのうちの１つまたは複数を実行するように構成または適応され得る。本明細書で説明された特徴は、ソフトウェアおよび／または組込みハードウェアで効率的に実施され得る。
【００７７】
さらに、本明細書で開示された構成に関連して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的なコンポーネント、ブロック、モジュール、回路、およびステップが、上記では概してそれらの機能に関して説明された。そのような機能がハードウェアとして実装されるか、ソフトウェアとして実装されるかは、特定の適用例および全体的なシステムに課される設計制約に依存する。
【００７８】
本明細書で説明された様々な特徴は、様々なシステムで実装され得る。たとえば、支援された捕捉は、単一の回路またはモジュール中に、別々の回路またはモジュール上で実装され、１つまたは複数のプロセッサによって実行され、機械可読またはコンピュータ可読媒体中に組み込まれたコンピュータ可読命令によって実行され、および／またはハンドヘルドデバイス、モバイルコンピュータ、および／または移動電話中で実施され得る。
【００７９】
上記の構成は例にすぎず、特許請求の範囲を限定するものと解釈されるべきではないことに留意されたい。構成についての説明は、例示的なものであり、特許請求の範囲の範囲を限定するものではない。したがって、本教示は、他のタイプの装置、ならびに多くの代替形態、修正形態、および変更形態に容易に適用され得ることが当業者には明らかであろう。
以下に、本願出願の当初の特許請求の範囲に記載された発明を付記する。
（１）  第１のワイヤレスネットワークの支援された初期ネットワーク捕捉のためのアクセス端末上で動作可能な方法であって、
第２のワイヤレスネットワーク上で第１のワイヤレスネットワーク情報に対する要求をブロードキャストすることと、
前記第２のワイヤレスネットワーク上で支援アクセス端末から前記第１のワイヤレスネットワーク情報を受信することと、
前記受信された第１のワイヤレスネットワーク情報に基づいて第１のワイヤレスネットワークを検出することと、
前記第１のワイヤレスネットワーク上で通信サービスを捕捉することと、
を備える方法。
（２）  前記第１のワイヤレスネットワークおよび前記第２のワイヤレスネットワークのうちの少なくとも一方は、ピアツーピアネットワークである、（１）に記載の方法。
（３）  第１の通信インターフェースを介して前記第１のワイヤレスネットワークが検出されると共に前記通信サービスが捕捉され、第２の通信インターフェースを介して前記要求がブロードキャストされると共に前記第１のワイヤレスネットワーク情報が受信され、前記第１のワイヤレスネットワークは前記第２のワイヤレスネットワークとは異なるタイプである、（１）に記載の方法。
（４）  前記第１の通信インターフェースおよび前記第２の通信インターフェースのうちの少なくとも一方は、短距離通信インターフェースである、（３）に記載の方法。
（５）  前記第１のワイヤレスネットワークは、超広帯域ネットワークである、（１）に記載の方法。
（６）  前記第２のワイヤレスネットワークは、ブルートゥース対応ネットワークである、（１）に記載の方法。
（７）  前記アクセス端末が前記第１のワイヤレスネットワーク情報に対する前記要求をブロードキャストするとき、前記アクセス端末は、未知のパーソナルエリアネットワークにおいて動作を開始または再開している、（１）に記載の方法。
（８）  前記受信された第１のワイヤレスネットワーク情報は、前記第１のワイヤレスネットワークの時間周波数符号、周波数、チャネル、タイミング情報、スクランブリングコード、および位相、のうちの少なくとも１つを含む、（１）に記載の方法。
（９）  前記第２のワイヤレスネットワークを介して前記支援アクセス端末からクロックタイミング情報を受信することと、
前記第１のワイヤレスネットワーク上でデータ交換期間を同期させるために前記アクセス端末の第１のクロックを前記支援アクセス端末の第２のクロックと整合させることと、
をさらに備える、（１）に記載の方法。
（１０）  前記アクセス端末は、前記支援アクセス端末の一般的発振器のドリフトを補償することによって前記第１のワイヤレスネットワーク情報を調整するために、前記受信されたクロックタイミング情報を使用する、（９）に記載の方法。
（１１）  前記受信された第１のワイヤレスネットワーク情報に基づいて前記第１のワイヤレスネットワークを検出することは、
前記受信された第１のワイヤレスネットワーク情報によって識別可能な周波数帯域に第１の通信インターフェースを同調させることと、
ブロードキャストされる物理レイヤ（ＰＨＹ）フレームプリアンブルの予想される開始の直前に前記第１の通信インターフェースをアウェイクすることと、
を含む、（１）に記載の方法。
（１２）  前記ＰＨＹフレームプリアンブルの長さは、２４シンボル未満である、（１１）に記載の方法。
（１３）  第１のワイヤレスネットワーク上で通信するための第１の通信インターフェースと、
第２のワイヤレスネットワーク上で通信するための第２の通信インターフェースであって、前記第１のワイヤレスネットワークが前記第２のワイヤレスネットワークとは異なるタイプである、第２の通信インターフェースと、
前記第１の通信インターフェースおよび前記第２の通信インターフェースに結合された処理回路であって、
前記第２のワイヤレスネットワーク上で第１のワイヤレスネットワーク情報に対する要求をブロードキャストし、
前記第２のワイヤレスネットワーク上で支援アクセス端末から前記第１のワイヤレスネットワーク情報を受信し、
前記受信された第１のワイヤレスネットワーク情報に基づいて前記第１のワイヤレスネットワークを検出し、
前記第１のワイヤレスネットワーク上で通信サービスを捕捉する、
ように構成された処理回路と
を備えるアクセス端末。
（１４）  前記第１のワイヤレスネットワークおよび前記第２のワイヤレスネットワークのうちの少なくとも一方は、ピアツーピアネットワークである、（１３）に記載のアクセス端末。
（１５）  前記第１の通信インターフェースおよび前記第２の通信インターフェースのうちの少なくとも一方は、短距離通信インターフェースである、（１３）に記載のアクセス端末。
（１６）  前記第１のワイヤレスネットワークは、超広帯域ネットワークである、（１３）に記載のアクセス端末。
（１７）  前記第２のワイヤレスネットワークは、ブルートゥース対応ネットワークである、（１３）に記載のアクセス端末。
（１８）  前記アクセス端末が前記第１のワイヤレスネットワーク情報に対する前記要求をブロードキャストするとき、前記アクセス端末は、未知のパーソナルエリアネットワークにおいて動作を開始または再開している、（１３）に記載のアクセス端末。
（１９）  前記受信された第１のワイヤレスネットワーク情報は、前記第１のワイヤレスネットワークの時間周波数符号、周波数、チャネル、タイミング情報、スクランブリングコード、および位相、のうちの少なくとも１つを含む、（１３）に記載のアクセス端末。
（２０）  前記処理回路は、
前記第２のワイヤレスネットワークを介して前記支援アクセス端末からクロックタイミング情報を受信し、
前記第１のワイヤレスネットワーク上でデータ交換期間を同期させるために前記アクセス端末の第１のクロックを前記支援アクセス端末の第２のクロックと整合させる、
ようにさらに構成された、（１３）に記載のアクセス端末。
（２１）  前記アクセス端末は、前記支援アクセス端末の一般的発振器のドリフトを補償することによって前記第１のワイヤレスネットワーク情報を調整するために、前記受信されたクロックタイミング情報を使用する、（２０）に記載のアクセス端末。
（２２）  前記受信された第１のワイヤレスネットワーク情報に基づいて前記第１のワイヤレスネットワークを検出することは、
前記受信された第１のワイヤレスネットワーク情報によって識別可能な周波数帯域に前記第１の通信インターフェースを同調させることと、
ブロードキャストされる物理レイヤ（ＰＨＹ）フレームプリアンブルの予想される開始の直前に前記第１の通信インターフェースをアウェイクすることと、
を含む、（１３）に記載のアクセス端末。
（２３）  前記ＰＨＹフレームプリアンブルの長さは、２４シンボル未満である、（１３）に記載のアクセス端末。
（２４）  第２のワイヤレスネットワーク上で第１のワイヤレスネットワーク情報に対する要求をブロードキャストするための手段と、
前記第２のワイヤレスネットワーク上で支援アクセス端末から前記第１のワイヤレスネットワーク情報を受信するための手段と、
前記受信された第１のワイヤレスネットワーク情報に基づいて第１のワイヤレスネットワークを検出するための手段と、
前記第１のワイヤレスネットワーク上で通信サービスを捕捉するための手段と、
を備えるアクセス端末。
（２５）  前記第１のワイヤレスネットワークおよび前記第２のワイヤレスネットワークのうちの少なくとも一方は、ピアツーピアネットワークである、（２４）に記載のアクセス端末。
（２６）  第１の通信インターフェースを介して前記第１のワイヤレスネットワークが検出されると共に前記通信サービスが捕捉され、第２の通信インターフェースを介して前記要求がブロードキャストされると共に前記第１のワイヤレスネットワーク情報が受信され、前記第１のワイヤレスネットワークは前記第２のワイヤレスネットワークとは異なるタイプである、（２４）に記載のアクセス端末。
（２７）  前記第１の通信インターフェースおよび前記第２の通信インターフェースのうちの少なくとも一方は、短距離通信インターフェースである、（２６）に記載のアクセス端末。
（２８）  前記第１のワイヤレスネットワークは、超広帯域ネットワークである、（２４）に記載のアクセス端末。
（２９）  前記第２のワイヤレスネットワークは、ブルートゥース対応ネットワークである、（２４）に記載のアクセス端末。
（３０）  前記アクセス端末が前記第１のワイヤレスネットワーク情報に対する前記要求をブロードキャストするとき、前記アクセス端末は、未知のパーソナルエリアネットワークにおいて動作を開始または再開している、（２４）に記載のアクセス端末。
（３１）  前記受信された第１のワイヤレスネットワーク情報は、前記第１のワイヤレスネットワークの時間周波数符号、周波数、チャネル、タイミング情報、スクランブリングコード、および位相、のうちの少なくとも１つを含む、（２４）に記載のアクセス端末。
（３２）  前記第２のワイヤレスネットワークを介して前記支援アクセス端末からクロックタイミング情報を受信するための手段と、
前記第１のワイヤレスネットワーク上でデータ交換期間を同期させるために前記アクセス端末の第１のクロックを前記支援アクセス端末の第２のクロックと整合させるための手段と、
をさらに備える、（２４）に記載のアクセス端末。
（３３）  前記アクセス端末は、前記支援アクセス端末の一般的発振器のドリフトを補償することによって前記第１のワイヤレスネットワーク情報を調整するために、前記受信されたクロックタイミング情報を使用する、（３２）に記載のアクセス端末。
（３４）  前記受信された第１のワイヤレスネットワーク情報によって識別可能な周波数帯域に第１の通信インターフェースを同調させるための手段と、
ブロードキャストされる物理レイヤ（ＰＨＹ）フレームプリアンブルの予想される開始の直前に前記第１の通信インターフェースをアウェイクするための手段であって、前記ＰＨＹフレームプリアンブルの長さが２４シンボル未満である、アウェイクするための手段と、
をさらに備える、（２４）に記載のアクセス端末。
（３５）  ワイヤレスネットワーク通信のための回路であって、
第２のワイヤレスネットワーク上で第１のワイヤレスネットワーク情報に対する要求をブロードキャストし、
前記第２のワイヤレスネットワーク上で支援アクセス端末から前記第１のワイヤレスネットワーク情報を受信し、
前記受信された第１のワイヤレスネットワーク情報に基づいて第１のワイヤレスネットワークを検出し、
前記第１のワイヤレスネットワーク上で通信サービスを捕捉する、
ように適合された回路。
（３６）  前記第２のワイヤレスネットワークを介して前記支援アクセス端末からクロックタイミング情報を受信し、
前記第１のワイヤレスネットワーク上でデータ交換期間を同期させるために前記アクセス端末の第１のクロックを前記支援アクセス端末の第２のクロックと整合させる、
ようにさらに適合された、（３５）に記載の回路。
（３７）  前記受信された第１のワイヤレスネットワーク情報によって識別可能な周波数帯域に第１の通信インターフェースを同調させることと、
ブロードキャストされる物理レイヤ（ＰＨＹ）フレームプリアンブルの予想される開始の直前に前記第１の通信インターフェースをアウェイクすることであって、前記ＰＨＹフレームプリアンブルの長さが２４シンボル未満である、アウェイクすることと、
を行うようにさらに適合された、（３５）に記載の回路。
（３８）  プロセッサによって実行されると、
第２のワイヤレスネットワーク上で第１のワイヤレスネットワーク情報に対する要求をブロードキャストすることと、
前記第２のワイヤレスネットワーク上で支援アクセス端末から前記第１のワイヤレスネットワーク情報を受信することと、
前記受信された第１のワイヤレスネットワーク情報に基づいて第１のワイヤレスネットワークを検出することと、
前記第１のワイヤレスネットワーク上で通信サービスを捕捉することと、
を前記プロセッサに行わせる、初期ネットワーク捕捉のための命令を備えるコンピュータ可読媒体。
（３９）  プロセッサによって実行されると、
前記第２のワイヤレスネットワークを介して前記支援アクセス端末からクロックタイミング情報を受信することと、
前記第１のワイヤレスネットワーク上でデータ交換期間を同期させるために前記アクセス端末の第１のクロックを前記支援アクセス端末の第２のクロックと整合させることと、
を前記プロセッサに行わせる命令をさらに備える、（３８）に記載のコンピュータ可読媒体。
（４０）  プロセッサによって実行されると、
前記受信された第１のワイヤレスネットワーク情報によって識別可能な周波数帯域に第１の通信インターフェースを同調させることと、
ブロードキャストされる物理レイヤ（ＰＨＹ）フレームプリアンブルの予想される開始の直前に前記第１の通信インターフェースをアウェイクすることであって、前記ＰＨＹフレームプリアンブルの長さが２４シンボル未満である、アウェイクすることと、
を前記プロセッサに行わせる命令をさらに備える、（３８）に記載のコンピュータ可読媒体。
（４１）  初期ネットワーク捕捉において捕捉アクセス端末を支援するためのアクセス端末上で動作可能な方法であって、
第１の通信インターフェースに関連する第１のワイヤレスネットワークのための第１のワイヤレスネットワーク情報を維持することと、
第２のワイヤレスネットワークに関連する第２の通信インターフェースを介して前記捕捉アクセス端末から前記第１のワイヤレスネットワーク情報に対する要求を受信することと、
前記第１のワイヤレスネットワーク情報を前記第２の通信インターフェースを介して前記捕捉アクセス端末に送信することと、
を備える方法。
（４２）  前記第１のワイヤレスネットワークおよび前記第２のワイヤレスネットワークのうちの少なくとも一方は、ピアツーピアネットワークである、（４１）に記載の方法。
（４３）  前記第１の通信インターフェースおよび前記第２の通信インターフェースのうちの少なくとも一方は、短距離通信インターフェースである、（４１）に記載の方法。
（４４）  前記第１のワイヤレスネットワークは、超広帯域ネットワークである、（４１）に記載の方法。
（４５）  前記第２のワイヤレスネットワークは、ブルートゥース対応ネットワークである、（４１）に記載の方法。
（４６）  前記送信される第１のワイヤレスネットワーク情報は、前記第１のワイヤレスネットワークの時間周波数符号、周波数、チャネル、タイミング情報、スクランブリングコード、および位相、のうちの少なくとも１つを含む、（４１）に記載の方法。
（４７）  前記捕捉アクセス端末が前記第１のワイヤレスネットワーク上でデータ交換期間を同期させるのを支援するために前記第２のワイヤレスネットワークを介して前記捕捉アクセス端末にクロックタイミング情報を送信すること、
をさらに備える、（４１）に記載の方法。
（４８）  第１のワイヤレスネットワーク上で通信するための第１の通信インターフェースと、
第２のワイヤレスネットワーク上で通信するための第２の通信インターフェースであって、前記第１のワイヤレスネットワークが前記第２のワイヤレスネットワークとは異なるタイプである、第２の通信インターフェースと、
前記第１の通信インターフェースおよび前記第２の通信インターフェースに結合された処理回路であって、
前記第１のワイヤレスネットワークのための第１のワイヤレスネットワーク情報を維持し、
前記第２の通信インターフェースを介して捕捉アクセス端末から前記第１のワイヤレスネットワーク情報に対する要求を受信し、
前記第１のワイヤレスネットワーク情報を前記第２の通信インターフェースを介して前記捕捉アクセス端末に送信する、
ように構成された処理回路と、
を備えるアクセス端末。
（４９）  前記第１のワイヤレスネットワークおよび前記第２のワイヤレスネットワークのうちの少なくとも一方は、ピアツーピアネットワークである、（４８）に記載のアクセス端末。
（５０）  前記第１の通信インターフェースおよび前記第２の通信インターフェースのうちの少なくとも一方は、短距離通信インターフェースである、（４８）に記載のアクセス端末。
（５１）  前記第１のワイヤレスネットワークは、超広帯域ネットワークである、（４８）に記載のアクセス端末。
（５２）  前記第２のワイヤレスネットワークは、ブルートゥース対応ネットワークである、（４８）に記載のアクセス端末。
（５３）  前記送信される第１のワイヤレスネットワーク情報は、前記第１のワイヤレスネットワークの時間周波数符号、周波数、チャネル、タイミング情報、スクランブリングコード、および位相、のうちの少なくとも１つを含む、（４８）に記載のアクセス端末。
（５４）  前記処理回路が、
前記捕捉アクセス端末が前記第１のワイヤレスネットワーク上でデータ交換期間を同期させるのを支援するために前記第２のワイヤレスネットワークを介して前記捕捉アクセス端末にクロックタイミング情報を送信する、
ようにさらに構成される、（４８）に記載のアクセス端末。
（５５）  第１の通信インターフェースに関連する第１のワイヤレスネットワークのための第１のワイヤレスネットワーク情報を維持するための手段と、
第２のワイヤレスネットワークに関連する第２の通信インターフェースを介して捕捉アクセス端末から前記第１のワイヤレスネットワーク情報に対する要求を受信するための手段と、
前記第１のワイヤレスネットワーク情報を前記第２の通信インターフェースを介して前記捕捉アクセス端末に送信するための手段と、
を備えるアクセス端末。
（５６）  前記第１のワイヤレスネットワークおよび前記第２のワイヤレスネットワークのうちの少なくとも一方は、ピアツーピアネットワークである、（５５）に記載のアクセス端末。
（５７）  前記第１の通信インターフェースおよび前記第２の通信インターフェースのうちの少なくとも一方は、短距離通信インターフェースである、（５５）に記載のアクセス端末。
（５８）  前記第１のワイヤレスネットワークは、超広帯域ネットワークである、（５５）に記載のアクセス端末。
（５９）  前記第２のワイヤレスネットワークは、ブルートゥース対応ネットワークである、（５５）に記載のアクセス端末。
（６０）  前記送信される第１のワイヤレスネットワーク情報は、前記第１のワイヤレスネットワークの時間周波数符号、周波数、チャネル、タイミング情報、スクランブリングコード、および位相、のうちの少なくとも１つを含む、（５５）に記載のアクセス端末。
（６１）  前記捕捉アクセス端末が前記第１のワイヤレスネットワーク上でデータ交換期間を同期させるのを支援するために前記第２のワイヤレスネットワークを介して前記捕捉アクセス端末にクロックタイミング情報を送信するための手段、
をさらに備える、（５５）に記載のアクセス端末。
（６２）  ワイヤレスネットワーク通信のための回路であって、前記回路は、捕捉アクセス端末による初期ネットワーク捕捉を支援するためにアクセス端末中で動作し、
第１の通信インターフェースに関連する第１のワイヤレスネットワークのための第１のワイヤレスネットワーク情報を維持し、
第２のワイヤレスネットワークに関連する第２の通信インターフェースを介して前記捕捉アクセス端末から前記第１のワイヤレスネットワーク情報に対する要求を受信し、
前記第１のワイヤレスネットワーク情報を前記第２の通信インターフェースを介して前記捕捉アクセス端末に送信する、
ように適合された、回路。
（６３）  前記捕捉アクセス端末が前記第１のワイヤレスネットワーク上でデータ交換期間を同期させるのを支援するために前記第２のワイヤレスネットワークを介して前記捕捉アクセス端末にクロックタイミング情報を送信する、
ようにさらに適合された、（６２）に記載の回路。
（６４）  前記第１のワイヤレスネットワークおよび前記第２のワイヤレスネットワークのうちの少なくとも一方は、ピアツーピアネットワークであり、前記第１の通信インターフェースおよび前記第２の通信インターフェースのうちの少なくとも一方は、短距離通信インターフェースである、（６２）に記載の回路。
（６５）  アクセス端末が第１のワイヤレスネットワークの初期ネットワーク捕捉において捕捉アクセス端末を支援するための命令を備えるコンピュータ可読媒体であって、プロセッサによって実行されると、
第１の通信インターフェースに関連する前記第１のワイヤレスネットワークのための第１のワイヤレスネットワーク情報を維持することと、
第２のワイヤレスネットワークに関連する第２の通信インターフェースを介して前記捕捉アクセス端末から前記第１のワイヤレスネットワーク情報に対する要求を受信することと、
前記第１のワイヤレスネットワーク情報を前記第２の通信インターフェースを介して前記捕捉アクセス端末に送信することと、
を前記プロセッサに行わせる、コンピュータ可読媒体。
（６６）  プロセッサによって実行されると、
前記捕捉アクセス端末が前記第１のワイヤレスネットワーク上でデータ交換期間を同期させるのを支援するために前記第２のワイヤレスネットワークを介して前記捕捉アクセス端末にクロックタイミング情報を送信すること、
を前記プロセッサに行わせる命令をさらに備える、（６５）に記載のコンピュータ可読媒体。
（６７）  前記第１のワイヤレスネットワークおよび前記第２のワイヤレスネットワークのうちの少なくとも一方は、ピアツーピアネットワークであり、前記第１の通信インターフェースおよび前記第２の通信インターフェースのうちの少なくとも一方は、短距離通信インターフェースである、（６５）に記載のコンピュータ可読媒体。
【図１】
0005384637.tif 000002
【図２】
0005384637.tif 000003
【図３】
0005384637.tif 000004
【図４】
0005384637.tif 000005
【図５】
0005384637.tif 000006
【図６】
0005384637.tif 000007
【図７】
0005384637.tif 000008
【図８】
0005384637.tif 000009
【図９】
0005384637.tif 000010
【図１０】
0005384637.tif 000011
【図１１】
0005384637.tif 000012
【図１２】
0005384637.tif 000013
【図１３】
0005384637.tif 000014
【図１４】
0005384637.tif 000015
【図１５】
0005384637.tif 000016